(57)【要約】    ポリマー複合体物品を調製するための組成物および方法。本組成物は、（Ａ）１０〜９０重量％の量の充填剤を含む。本組成物はまた、（Ｂ）１０〜９０重量％の量のポリマーであって、（Ｂ）ポリマーが、ポリビニルを含む。さらに、本組成物は、（Ｃ）０超〜１０重量％の量のオルガノポリシロキサンを含み、（Ｃ）オルガノポリシロキサンが、少なくとも１つのシリコン結合ヒドロキシル基および２５℃で１，０００〜６０，０００ｍＰａ・ｓの粘度を有する。成分（Ａ）〜（Ｃ）の範囲は、本組成物中の成分（Ａ）、（Ｂ）、および（Ｃ）の総重量に基づく。  【選択図】なし【特許請求の範囲】
【請求項１】
ポリマー複合体物品を調製するための組成物であって、前記組成物が、
（Ａ）１０〜９０重量％の量の充填剤と、
（Ｂ）１０〜９０重量％の量のポリマーであって、前記（Ｂ）ポリマーが、ポリビニルを含む、ポリマーと、
（Ｃ）０超〜１０重量％の量のオルガノポリシロキサンであって、前記（Ｃ）オルガノポリシロキサンが、少なくとも１つのシリコン結合ヒドロキシル基および２５℃で１，０００〜６０，０００ｍＰａ・ｓの粘度を有する、オルガノポリシロキサンと、を含み、
各々が、前記組成物中の成分（Ａ）、（Ｂ）、および（Ｃ）の総重量に基づく、組成物。
【請求項２】
（ｉ）前記（Ｃ）オルガノポリシロキサンが、２５℃で液体として存在するか、（ｉｉ）前記オルガノポリシロキサンが、前記オルガノポリシロキサンを含む固体担体成分中の前記組成物中に存在するか、（ｉｉｉ）前記（Ｃ）オルガノポリシロキサンが、２５°Ｃで２，０００〜５０，０００ｍＰａ・ｓの粘度を有するか、（ｉｖ）前記（Ａ）充填剤が、リグノセルロース充填剤、ミネラル充填剤、ガラス充填剤、カーボン充填剤、顔料、およびそれらの組み合わせから選択されるか、または（ｖ）（ｉ）〜（ｉｖ）の任意の組み合わせである、請求項１に記載の組成物。
【請求項３】
前記（Ｃ）オルガノポリシロキサンが、以下の平均単位式を有し、
［Ｒ１３−ｎ（ＯＨ）ｎＳｉＯ１／２］ａ’［Ｒ１２−ｍ（ＯＨ）ｍＳｉＯ２／２］ｂ’［Ｒ１ＳｉＯ３／２］ｃ’［ＳｉＯ４／２］ｄ’
式中、各Ｒ１が、独立して選択されたヒドロカルビル基であり、ｎが、０、１、２、または３であり、ｍが、０、１、または２であるが、ただし、ｎおよびｍが、同時に０ではないことを条件とし、０＜ａ’＜１、０＜ｂ’＜１、０≦ｃ’≦０．１かつ０≦ｄ’≦０．１であるが、ただし、ａ’＋ｂ’＋ｃ’＋ｄ’＝１であることを条件とする、請求項１または２に記載の組成物。
【請求項４】
前記（Ｃ）オルガノポリシロキサンが、以下の平均単位式（Ｉ）または（ＩＩ）を有し、
［Ｒ１３−ｎ（ＯＨ）ｎＳｉＯ１／２］ａ’’［Ｒ１２−ｍ（ＯＨ）ｍＳｉＯ２／２］ｂ’’（Ｉ）
式中、各Ｒ１が独立して選択されたヒドロカルビル基であり、ｎが０、１、２、もしくは３であり、ｍが０、１、もしくは２であるが、ただし、ｎおよびｍが同時に０ではないことを条件とし、０＜ａ’’＜１、０＜ｂ’’＜１であるが、ただし、ａ’’＋ｂ’’＝１であることを条件とするか、または
Ｒ１３−ｘ（ＯＨ）ｘＳｉＯ［ＳｉＲ１２Ｏ］ｃ’’Ｓｉ（ＯＨ）ｙＲ１３−ｙ（ＩＩ）
式中、各Ｒ１が独立して選択されたヒドロカルビル基であり、ｘが０、１、２、もしくは３であり、ｙが０、１、２、もしくは３であるが、ただし、ｘおよびｙが同時に０ではないことを条件とし、ｃ’’が６０〜１，２００である、請求項１または２に記載の組成物。
【請求項５】
（ｉ）前記（Ａ）充填剤がリグノセルロース充填剤を含み、４０〜８０重量％の量で存在し、（ｉｉ）前記（Ｂ）ポリマーがポリ塩化ビニルを含み、２０〜６０重量％の量で存在し、（ｉｉｉ）前記（Ｃ）オルガノポリシロキサンが０．８〜４．０重量％の量で存在する、請求項１〜４のいずれか一項に記載の組成物。
【請求項６】
（ｉ）前記（Ａ）充填剤が、ミネラル充填剤を含み、１０〜５０重量％の量で存在し、（ｉｉ）前記（Ｂ）ポリマーが、５０〜９０重量％の量で存在し、（ｉｉｉ）前記（Ｃ）オルガノポリシロキサンが、０．１〜１０重量％の量で存在し、（ｉｖ）前記（Ｃ）オルガノポリシロキサンが、２５℃で１，０００〜５０，０００ｍＰａ・ｓの粘度を有する、請求項１〜４のいずれか一項に記載の組成物。
【請求項７】
（Ｄ）相溶化剤、（Ｅ）着色剤、（Ｆ）発泡剤、（Ｇ）ＵＶ安定剤、（Ｈ）酸化防止剤、（Ｉ）加工助剤、（Ｊ）防腐剤、（Ｋ）殺生物剤、（Ｌ）難燃剤、（Ｍ）衝撃性改良剤、（Ｎ）熱安定剤、および（Ｏ）潤滑剤から選択される１つ以上の添加剤をさらに含む、請求項１〜６のいずれか一項に記載の組成物。
【請求項８】
請求項１〜７のいずれか一項に記載の組成物を調製する方法であって、前記方法が、
（Ａ）前記充填剤と、（Ｂ）前記ポリマーと、（Ｃ）前記オルガノポリシロキサンとを組み合わせ、それにより、前記組成物を調製することを含む、方法。
【請求項９】
ポリマー複合体物品を調製する方法であって、前記方法が、
請求項１〜７のいずれか一項に記載の組成物から前記ポリマー複合体物品を調製することを含む、方法。
【請求項１０】
前記方法が、（ｉ）前記組成物を形成するか、（ｉｉ）前記組成物を形成する前および／もしくは形成中に前記（Ｂ）ポリマーを加熱して、前記（Ｂ）ポリマーを溶融するか、（ｉｉｉ）前記（Ｂ）ポリマーを添加する前に、前記（Ａ）充填剤と（Ｃ）オルガノポリシロキサンとの混合物を混合するか、または（ｉｖ）（ｉ）、（ｉｉ）、もしくは（ｉｉｉ）の任意の組み合わせをさらに含む、請求項９に記載の方法。
【請求項１１】
前記方法が、
高温で前記（Ａ）充填剤と、前記（Ｂ）ポリマーと、前記（Ｃ）オルガノポリシロキサンとを混合しながら組み合わせて、流動性混合物を得ることと、
前記流動性混合物から前記ポリマー複合体物品を形成することと、を含む、請求項９に記載の方法。
【請求項１２】
（ｉ）前記（Ｃ）オルガノポリシロキサンが、前記流動性混合物を前記（Ｃ）オルガノポリシロキサンと組み合わせるときに液体であるか、または（ｉｉ）前記（Ｃ）オルガノポリシロキサンが、固体担体成分内に存在し、前記方法が、前記流動性混合物と前記（Ｃ）オルガノポリシロキサンとを組み合わせるときに前記固体担体成分を溶融することをさらに含む、請求項１１に記載の方法。
【請求項１３】
（ｉ）前記組成物から前記ポリマー複合体物品を調製することが、前記組成物を所望の形状に形成することをさらに含むか、（ｉｉ）前記組成物から前記ポリマー複合体物品を調製することが、前記組成物を押し出すことを含むか、（ｉｉｉ）前記組成物から前記ポリマー複合体物品を調製することが、前記組成物を成形することを含むか、または（ｉｖ）（ｉ）〜（ｉｉｉ）の任意の組み合わせである、請求項９〜１２のいずれか一項に記載の方法。
【請求項１４】
押し出し機で行われ、（ｉ）前記押し出し機内の前記組成物の押し出し加工温度が、前記（Ｃ）オルガノポリシロキサンを含まない前記（Ａ）充填剤と前記（Ｂ）ポリマーとの混合物の押し出し加工温度と比較して低減され、かつ／または（ｉｉ）前記組成物を混合するときの前記押し出し機のトルクが、前記（Ｃ）オルガノポリシロキサンを含まない前記（Ａ）充填剤と前記（Ｂ）ポリマーとの混合物を押し出すときの前記押し出し機のトルクと比較して低減される、請求項９〜１３のいずれか一項に記載の方法。
【請求項１５】
請求項９〜１４のいずれか一項に記載の方法によって調製される、ポリマー複合体物品。
【請求項１６】
固体担体成分であって、
１〜７０重量％の（Ｃ）少なくとも１つのシリコン結合ヒドロキシル基および２５℃で１，０００〜６０，０００ｍＰａ・ｓの粘度を有するオルガノポリシロキサンと、
０〜９０重量％の（Ｂ）ポリビニルを含むポリマーと、
０〜９５重量％の（Ｄ）官能化ポリマーを含む相溶化剤と、
０〜７５重量％の（Ａ）リグノセルロース充填剤、ミネラル充填剤、ガラス充填剤、カーボン充填剤、顔料、およびそれらの組み合わせから選択される充填剤と、を含むが、
ただし、成分（Ｂ）および（Ｄ）のうちの少なくとも１つが、前記固体担体成分中に存在することを条件とする、固体担体成分。
【請求項１７】
（ｉ）前記（Ｃ）オルガノポリシロキサンが、２５℃で１，０００〜５０，０００ｍＰａ・ｓの粘度を有し、
（ｉｉ）前記（Ｃ）オルガノポリシロキサンが、以下の平均単位式（Ｉ）もしくは（ＩＩ）を有し、
［Ｒ１３−ｎ（ＯＨ）ｎＳｉＯ１／２］ａ’’［Ｒ１２−ｍ（ＯＨ）ｍＳｉＯ２／２］ｂ’’（Ｉ）
式中、各Ｒ１が独立して選択されたヒドロカルビル基であり、ｎが０、１、２、もしくは３であり、ｍが０、１、もしくは２であるが、ただし、ｎおよびｍが同時に０ではないことを条件とし、０＜ａ’’＜１、０＜ｂ’’＜１であるが、ただし、ａ’’＋ｂ’’＝１であることを条件とするか、または
Ｒ１３−ｘ（ＯＨ）ｘＳｉＯ［ＳｉＲ１２Ｏ］ｃ’’Ｓｉ（ＯＨ）ｙＲ１３−ｙ（ＩＩ）
式中、各Ｒ１が独立して選択されたヒドロカルビル基であり、ｘが０、１、２、もしくは３であり、ｙが０、１、２、もしくは３であるが、ただし、ｘおよびｙが同時に０ではないことを条件とし、ｃ’’が６０〜１，２００であるか、または（ｉｉｉ）（ｉ）および（ｉｉ）の両方である、請求項１６に記載の固体担体成分。
【請求項１８】
前記（Ｄ）前記官能化ポリマーを含む相溶化剤が存在し、前記官能化ポリマーが、マレイン化ポリマーを含む、請求項１６または１７に記載の固体担体成分。
【発明の詳細な説明】
【技術分野】
【０００１】
関連出願の相互参照
本出願は、２０１８年２月１日に出願された米国仮出願第６２／６２４，９６８号に対する優先権および全ての利点を主張し、その内容は、参照により本明細書に組み込まれる。
【０００２】
本発明は、一般に、組成物に関し、より具体的には、ポリマー複合体物品を調製するための組成物、本組成物およびそれを用いたポリマー複合体物品の調製方法、ならびにそれにより形成されたポリマー複合体物品に関する。
【背景技術】
【０００３】
ポリマー複合体物品は当技術分野で知られており、様々な最終使用用途に利用されている。ポリマー複合体物品は、物理的および機械的特性を含む、ポリマー複合体物品に関連するコストおよび望ましい特性に起因して、消費者に人気が高まっている。
【０００４】
ある特定のポリマー複合体物品は、高重量パーセントの充填剤を含有する。そのようなポリマー複合体物品は、典型的には、充填剤とポリマーとを完全に混合して、混合物を得ることにより生成される。混合物を成形（例えば、射出成形）または押し出して、ポリマー複合体物品を形成することができる。ポリマー複合体物品を形成するために利用されるポリマーの選択に応じて、ポリマー複合体物品は硬化および／または加硫され得る。しかし、ポリマー複合体物品を生成するための従来のプロセスは、一般に、混合物からのポリマー複合体物品の形成を容易にして、品質（例えば、表面および縁の滑らかさ）を確保するための加工助剤（内部または外部であり得る）を必要とする。従来の低コストの有機加工助剤は、より速い生産速度を達成するために高充填を必要とし、それにより、コストおよび／または性能特性に影響を与えるという欠点を一般に抱えている。さらに、多くの従来の加工助剤は、特に高温での使用において、複合体物品の物理的特性に悪影響を及ぼし、機械的特性（耐衝撃性、曲げ強度、曲げ弾性率）を低減させる可能性がある。従来の加工助剤は、ポリマー複合体物品から移行もし得るため、時間の経過と共に、物理的特性、外観、感触、外側被覆成形する能力、共押し出する能力、ポリマー複合体物品の表面に付着する能力、表面を印刷する能力、および表面を塗装する能力などのポリマー複合体物品の１つ以上の特性に悪影響を与える。さらに、有機加工助剤のいくつかは、より高い適用温度で揮発し、これにより、ポリマー複合体物品の形成または気泡および亀裂が引き起こされる可能性があり、これらの物品の長期性能を損なう可能性がある。
【発明の概要】
【０００５】
本発明は、ポリマー複合体物品を調製するための組成物を提供する。本組成物は、（Ａ）１０〜９０重量％の量の充填剤を含む。本組成物はまた、（Ｂ）ポリマーが、ポリビニルを含む、（Ｂ）１０〜９０重量％の量のポリマーを含む。さらに、本組成物は、（Ｃ）０超〜１０重量％の量のオルガノポリシロキサンを含み、（Ｃ）オルガノポリシロキサンが、少なくとも１つのシリコン結合ヒドロキシル基および２５℃で１，０００〜６０，０００ｍＰａ・ｓの粘度を有する。成分（Ａ）〜（Ｃ）の範囲は、本組成物中の成分（Ａ）、（Ｂ）、および（Ｃ）の総重量に基づく。
【０００６】
本組成物を調製する方法も提供される。本組成物を調製する方法は、（Ａ）充填剤と、（Ｂ）ポリマーと、（Ｃ）オルガノポリシロキサンとを組み合わせ、それにより、本組成物を調製することを含む。
【０００７】
さらに、ポリマー複合体物品を調製するための方法が、本発明により提供される。本方法は、本組成物からポリマー複合体物品を調製することを含む。さらに、本方法に従って形成されるポリマー複合体物品も提供される。
【０００８】
さらに、（Ｃ）オルガノポリシロキサンと、少なくとも１つの他の成分とを含む固体担体成分も提供される。
【発明を実施するための形態】
【０００９】
本発明は、ポリマー複合体物品を調製するための組成物を提供する。ポリマー複合体物品は、優れた物理的特性を有し、以下に記載されるように無数の最終使用用途に好適である。ポリマー複合体物品を調製する方法、およびそれにより形成されるポリマー複合体物品もまた、以下に提供および記載される。
【００１０】
ポリマー複合体物品を調製するための組成物は、（Ａ）１０〜９０重量％の量の充填剤と、（Ｂ）１０〜９０重量％の量のポリマーと、（Ｃ）０超〜１０重量％の量のオルガノポリシロキサンと、を含み、各々は、本組成物中の成分（Ａ）、（Ｂ）、および（Ｃ）の総重量に基づく。
【００１１】
成分（Ａ）充填剤
本組成物は、（Ａ）充填剤を含む。（Ａ）充填剤は、ポリマー複合体物品を調製するための組成物およびそのように調製された複合体物品中に不連続相を形成し得る。（Ａ）充填剤は限定されず、例えば、補強用充填剤、増量用充填剤、熱伝導性充填剤、導電性充填剤、難燃性充填剤、酸受容性充填剤、レオロジー改良充填剤、リグノセルロース充填剤、着色充填剤、ミネラル充填剤、ガラス充填剤、カーボン充填剤、またはそれらの組み合わせであり得る。（Ａ）充填剤の選択は、典型的には、本組成物を用いて形成されるポリマー複合体物品およびポリマー複合体物品の最終使用用途により変化する。
【００１２】
ある特定の実施形態では、（Ａ）充填剤は、少なくとも１つの水酸化物もしくはヒドロキシル官能基、および／または水を含む。典型的には、少なくとも１つの水酸化物またはヒドロキシル官能基（または水）は、（Ａ）充填剤の表面に化学的および／または物理的に結合する。理論に縛られることを望まないが、（Ａ）充填剤がこの特性を有する場合、オルガノポリシロキサンが（Ａ）充填剤と反応または物理的に相互作用し、表面処理することが可能であると考えられている。
【００１３】
（Ａ）充填剤は、未処理、前処理、または以下で記載される任意の充填剤処理剤と組み合わせて添加され得、そのように添加されるとき、（Ａ）充填剤をその場で、または（Ａ）充填剤を本組成物に組み込む前に処理し得る。（Ａ）充填剤は、単一の充填剤、あるいは充填剤のタイプ、調製方法、処理もしくは表面化学、充填剤組成、充填剤形状、充填剤表面積、平均粒径、および／または粒径分布などの少なくとも１つの特性において異なる２つ以上の充填剤の組み合わせであり得る。
【００１４】
（Ａ）充填剤の形状および寸法も特に限定されない。例えば、（Ａ）充填剤は、球形、長方形、卵形、不規則であり得、例えば、粉末、細粉、繊維、フレーク、チップ、シェービング、ストランド、スクリム、ウエハー、ウール、わら、粒子、およびそれらの組み合わせの形態であり得る。寸法および形状は、典型的には、利用される（Ａ）充填剤のタイプ、本組成物内に含まれる他の成分の選択、およびそれらを用いて形成されたポリマー複合体物品の最終使用用途に基づいて選択される。
【００１５】
補強充填剤として機能し得る充填剤の非限定的な例には、ヒュームシリカ、シリカエアロゲル、シリカキセロゲル、および沈降シリカなどの補強シリカ充填剤が含まれる。ヒュームドシリカは、当技術分野で知られており、例えば、Ｍａｓｓａｃｈｕｓｅｔｔｓ，Ｕ．Ｓ．Ａ．のＣａｂｏｔ  ＣｏｒｐｏｒａｔｉｏｎによりＣＡＢ−Ｏ−ＳＩＬの名称で販売されているヒュームドシリカが市販されている。
【００１６】
増量または補強充填剤として機能し得る充填剤の非限定的な例には、石英および／もしくは破砕石英、酸化アルミニウム、酸化マグネシウム、シリカ（例えば、ヒュームド、粉砕、沈降）、水和ケイ酸マグネシウム、炭酸マグネシウム、ドロマイト、シリコーン樹脂、ウォラストナイト、ソープストーン、カオリナイト、カオリン、雲母白雲母、金雲母、ハロイサイト（水和ケイ酸アルミニウム）、ケイ酸アルミニウム、アルミノケイ酸ナトリウム、ガラス（繊維、ビーズまたは粒子、例えば、風力タービンまたは他の供給源からのリサイクルガラスを含む）、粘土、磁鉄鉱、赤鉄鉱、炭酸カルシウム、例えば、沈降、ヒュームド、および／もしくは粉砕炭酸カルシウム、硫酸カルシウム、硫酸バリウム、メタケイ酸カルシウム、酸化亜鉛、タルク、珪藻土、酸化鉄、粘土、雲母、チョーク、二酸化チタン（チタニア）、ジルコニア、砂、カーボンブラック、グラファイト、無煙炭、石炭、亜炭、木炭、活性炭、非官能性シリコーン樹脂、アルミナ、銀、金属粉末、酸化マグネシウム、水酸化マグネシウム、オキシ硫酸マグネシウム繊維、アルミニウム三水和物、アルミニウムオキシ水和物、被覆充填剤、炭素繊維（例えば、航空機および／または自動車産業からの再生炭素繊維を含む）、細断ＫＥＶＬＡＲ（商標）もしくはＴｗａｒｏｎ（商標）などのポリアラミド、ナイロン繊維、ミネラル充填剤、または顔料（例えば、二酸化チタン、ナトリウム、カリウム、マグネシウム、カルシウム、およびバリウムの非水和、部分水和、または水和フッ化物、塩化物、臭化物、ヨウ化物、クロメート、カーボネート、水酸化物、ホスフェート、水素スルフェート、ニトレート、酸化物、およびスルフェート；酸化亜鉛、五酸化アンチモン、三酸化アンチモン、酸化ベリリウム、酸化クロム、リトポン、ホウ酸、またはホウ酸塩、例えば、ホウ酸亜鉛、メタホウ酸バリウム、もしくはホウ酸アルミニウム、混合金属酸化物、例えば、バーミキュライト、ベントナイト、軽石、パーライト、飛灰、粘土、およびシリカゲル；もみ殻灰、セラミックおよびゼオライト、金属、例えば、アルミニウムフレークまたは粉末、青銅粉末、銅、金、モリブデン、ニッケル、銀粉末またはフレーク、ステンレス鋼粉末、タングステン、チタン酸バリウム、シリカ−カーボンブラック複合体、官能化カーボンナノチューブ、セメント、スレート細粉、パイロフィライト、セピオライト、スズ酸亜鉛、硫化亜鉛）、ならびにそれらの組み合わせが含まれる。あるいは、増量または補強充填剤は、炭酸カルシウム、タルク、およびそれらの組み合わせからなる群から選択され得る。
【００１７】
増量充填剤は、当技術分野で知られており、例えば、Ｂｅｒｋｅｌｅｙ  Ｓｐｒｉｎｇｓ，ＷＶのＵ．Ｓ．ＳｉｌｉｃａによりＭＩＮ−Ｕ−ＳＩＬという名称で販売されている粉砕石英が市販されている。好適な沈降炭酸カルシウムには、ＳｏｌｖａｙのＷｉｎｎｏｆｉｌ（商標）ＳＰＭ、ならびにＳＭＩのＵｌｔｒａ−ｐｆｌｅｘ（商標）およびＵｌｔｒａ−ｐｆｌｅｘ（商標）１００が含まれる。
【００１８】
（Ａ）充填剤が熱伝導性充填剤を含む場合、（Ａ）充填剤は、熱伝導性および導電性の両方であり得る。あるいは、（Ａ）充填剤は、熱伝導性および電気絶縁性であり得る。熱伝導性充填剤はまた、補強充填剤、増量充填剤、または上記のような別の特性などに限定されない他の有益な特性も有し得る。熱伝導性充填剤は、窒化アルミニウム、酸化アルミニウム、アルミニウム三水和物、アルミニウムオキシ水和物、チタン酸バリウム、硫酸バリウム、酸化ベリリウム、炭素繊維、ダイヤモンド、グラファイト、水酸化マグネシウム、酸化マグネシウム、オキシ硫酸マグネシウム繊維、金属粒子、オニキス、炭化ケイ素、炭化タングステン、酸化亜鉛、コーティングされた充填剤、およびそれらの組み合わせからなる群から選択され得るが、これらに限定されない。
【００１９】
（Ａ）充填剤が熱伝導性充填剤を含む場合、熱伝導性充填剤は、金属充填剤、無機充填剤、溶融性充填剤、またはそれらの組み合わせを含み得る。金属充填剤には、金属の粒子、金属粉末、および粒子の表面に層を有する金属の粒子が含まれる。これらの層は、例えば、金属窒化物層または金属酸化物層であり得る。好適な金属充填剤は、アルミニウム、銅、金、ニッケル、銀、およびそれらの組み合わせからなる群から選択される金属の粒子、あるいはアルミニウムにより例示される。好適な金属充填剤は、窒化アルミニウム、酸化アルミニウム、酸化銅、酸化ニッケル、酸化銀、およびそれらの組み合わせからなる群から選択される表面に層を有する上に列挙される金属の粒子によりさらに例示される。例えば、金属充填剤は、表面に酸化アルミニウム層を有するアルミニウム粒子を含み得る。無機充填剤はオニキス；アルミニウム三水和物、アルミニウムオキシ水和物、金属酸化物、例えば、酸化アルミニウム、酸化ベリリウム、酸化マグネシウム、および酸化亜鉛；窒化アルミニウムなどの窒化物；炭化ケイ素および炭化タングステンなどの炭化物；ならびにそれらの組み合わせにより例示される。あるいは、無機充填剤は、酸化アルミニウム、酸化亜鉛、およびそれらの組み合わせにより例示される。溶融性充填剤は、Ｂｉ、Ｇａ、Ｉｎ、Ｓｎ、またはそれらの合金を含み得る。溶融性充填剤は、任意に、Ａｇ、Ａｕ、Ｃｄ、Ｃｕ、Ｐｂ、Ｓｂ、Ｚｎ、またはそれらの組み合わせをさらに含み得る。好適な溶融性充填剤の例には、Ｇａ、Ｉｎ−Ｂｉ−Ｓｎ合金、Ｓｎ−Ｉｎ−Ｚｎ合金、Ｓｎ−Ｉｎ−Ａｇ合金、Ｓｎ−Ａｇ−Ｂｉ合金、Ｓｎ−Ｂｉ−Ｃｕ−Ａｇ合金、Ｓｎ−Ａｇ−Ｃｕ−Ｓｂ合金、Ｓｎ−Ａｇ−Ｃｕ合金、Ｓｎ−Ａｇ合金、Ｓｎ−Ａｇ−Ｃｕ−Ｚｎ合金、およびそれらの組み合わせが含まれる。溶融性充填剤は、５０℃〜２５０℃の融点を有し得る。溶融性充填剤は、共晶合金、非共晶合金、または純粋な金属であり得る。多くの好適な溶融性充填剤が市販されている。
【００２０】
あるいは、（Ａ）充填剤は、非反応性シリコーン樹脂を含み得る。例えば、（Ａ）充填剤は、非反応性ＭＱシリコーン樹脂を含み得る。当技術分野で知られているように、Ｍシロキシ単位はＲ０３ＳｉＯ１／２で表され、Ｑシロキシ単位はＳｉＯ４／２で表され、式中、Ｒ０は、独立して選択された置換基である。そのような非反応性シリコーン樹脂は、典型的には、ベンゼン、トルエン、キシレン、ヘプタンなどの液体炭化水素、または低粘度の環状および線状ポリジオルガノシロキサンなどの液体有機ケイ素化合物に可溶である。非反応性シリコーン樹脂中のＭ対Ｑシロキシ単位のモル比は、０．５／１〜１．５／１、あるいは０．６／１〜０．９／１であり得る。これらのモル比は、好都合には、参照により本明細書に組み込まれる米国特許第９，５９３，２０９号の第３２欄の参照実施例２に記載されているシリコン２９核磁気共鳴分光法（２９Ｓｉ  ＮＭＲ）により測定され得る。非反応性シリコーン樹脂は、２．０重量％以下、あるいは０．７重量％以下、あるいは０．３重量％以下のシリコン結合ヒドロキシルまたは加水分解性基を含むＴ単位をさらに含み得、それは、そのような非反応性シリコーン樹脂の範囲内でありながらも、アルコキシ、例えば、メトキシおよびエトキシ、ならびにアセトキシにより例示される。非反応性シリコーン樹脂中に存在する加水分解性基の濃度は、フーリエ変換赤外（ＦＴ−ＩＲ）分光法を使用して決定され得る。
【００２１】
あるいはまたはさらに、（Ａ）充填剤は、直前に記載される非反応性ＭＱシリコーン樹脂以外の非反応性シリコーン樹脂を含み得る。例えば、（Ａ）充填剤は、Ｔ樹脂、ＴＤ樹脂、ＴＤＭ樹脂、ＴＤＭＱ樹脂、または任意の他の非反応性シリコーン樹脂を含み得る。典型的には、そのような非反応性シリコーン樹脂は、少なくとも３０モルパーセントのＴシロキシおよび／またはＱシロキシ単位を含む。当技術分野で知られているように、Ｄシロキシ単位はＲ０２ＳｉＯ２／２で表され、Ｔシロキシ単位はＲ０ＳｉＯ３／２で表され、式中、Ｒ０は、独立して選択された置換基である。
【００２２】
非反応性シリコーン樹脂の重量平均分子量、Ｍｗは、シリコーン樹脂の分子量および非反応性シリコーン樹脂中に存在する置換基（例えば、ヒドロカルビル基）のタイプ（複数可）に少なくとも部分的に依存する。本明細書で使用されるＭｗは、ネオペンタマーを表すピークが測定から除外されるときに、狭い分子量分布ポリスチレン（ＰＳ）標準較正を用いて、従来のゲル浸透クロマトグラフィー（ＧＰＣ）を使用して測定された重量平均分子量を表す。非反応性シリコーン樹脂のＰＳ当量Ｍｗは、１２，０００〜３０，０００ｇ／モル、典型的には、１７，０００〜２２，０００ｇ／モルであり得る。非反応性シリコーン樹脂は、任意の好適な方法により調製され得る。このタイプのシリコーン樹脂は、当技術分野で一般に知られている対応するシランの加水分解法、またはシリカヒドロゾルキャッピング法により調製されてきた。
【００２３】
ある特定の実施形態では、（Ａ）充填剤は、酸受容体を含み得る。酸受容体は、酸化マグネシウムなどの金属酸化物を含み得る。酸受容体は、当技術分野で一般に知られており、Ｒｈｅｎｏｆｉｔ  Ｆ、Ｓｔａｒ  Ｍａｇ  ＣＸ−５０、Ｓｔａｒ  Ｍａｇ  ＣＸ−１５０、ＢＬＰ−３、およびＭａｘＯｘ９８ＬＲを含む商品名で市販されている。Ｒｈｅｎｏｆｉｔ  Ｆは、Ｃｈａｒｄｏｎ，Ｏｈｉｏ，ＵＳＡのＲｈｅｉｎ  Ｃｈｅｍｉｅ  Ｃｏｒｐｏｒａｔｉｏｎ製の酸化カルシウムであった。Ｓｔａｒ  Ｍａｇ  ＣＸ−５０は、Ｐｏｒｔｓｍｏｕｔｈ，Ｎ．Ｈ．，ＵＳＡのＭｅｒｒａｎｄ  Ｉｎｔｅｒｎａｔｉｏｎａｌ  Ｃｏｒｐ．製の酸化マグネシウムであった。ＭａｇＯＸ  ９８ＬＲは、Ｗ．Ｃｏｎｓｈｏｈｏｃｋｅｎ，Ｐａ．，ＵＳＡのＰｒｅｍｉｅｒ  Ｃｈｅｍｉｃａｌｓ  ＬＬＣ製の酸化マグネシウムであった。ＢＬＰ−３は、炭酸カルシウムであり、Ｃｉｎｃｉｎｎａｔｉ，Ｏｈｉｏ，ＵＳＡのＯｍｙａ  Ａｍｅｒｉｃａｓであった。
【００２４】
これらまたは他の実施形態では、（Ａ）充填剤は、リグノセルロース系充填剤を含み得る。リグノセルロース系充填剤は、リグノセルロース材料を含み、あるいはそれから本質的になり、あるいはそれからなる。典型的には、リグノセルロース系充填剤は、リグノセルロース材料からなる。リグノセルロース系充填剤、ならびにリグノセルロース材料は、任意の植物源に由来する任意の物質を含み得る。リグノセルロース系充填剤がリグノセルロース系材料から本質的になるか、またはリグノセルロース系材料からなる場合、リグノセルロース材料は、水分または含水量も含み得るが、リグノセルロース材料、ならびにリグノセルロース系充填剤は、典型的には、乾燥しており、すなわち、リグノセルロース系充填剤が調製、誘導、形成、および／または保管される環境での相対湿度に関連し得るものを除く、任意の自由含水量を含有しない。同じことが典型的に他の種の（Ａ）充填剤にも当てはまるが、リグノセルロース系充填剤については、リグノセルロース材料には、一般に、乾燥または最終使用の前に収穫／調製された水分が含まれているため、注意が必要である。
【００２５】
リグノセルロース系充填剤は、典型的には、炭水化物ポリマー（例えば、セルロースおよび／またはヘミセルロース）を含み、芳香族ポリマー（例えば、リグニン）をさらに含み得る。リグノセルロース系充填剤は、典型的には、天然のリグノセルロース材料であり、すなわち、合成的に誘導されたものではない。例えば、リグノセルロース系充填剤は、典型的には、木材（硬木、軟木、および／または合板）に由来する。あるいはまたはさらに、リグノセルロース系充填剤は、植物由来のリグノセルロース材料などの他の非木材源、あるいは他の植物由来のポリマー、例えば、農業副産物、チャフ、サイザル麻、バガス、麦わら、カポック、ラミー、ヘネケン、トウモロコシ繊維もしくはコイア、ナッツの殻、亜麻、ジュート、麻、ケナフ、もみ殻、アバカ、ピーナッツの外皮、竹、わら、リグニン、デンプン、またはセルロースおよびセルロース含有生成物、ならびにそれらの組み合わせからのリグノセルロース材料を含み得る。
【００２６】
リグノセルロース系充填剤が由来し得る好適な硬木の具体例には、トネリコ、アスペン、ヒロハハコヤナギ、シナノキ、カバノキ、ブナ、クリ、ガム、エルムユーカリ、カエデ、オーク、ポプラ、スズカケノキ、およびそれらの組み合わせが含まれるが、これらに限定されない。リグノセルロース系充填剤が由来し得る好適な軟木の具体例には、トウヒ、モミ、ヘムロック、タマラック、カラマツ、マツ、ヒノキ、セコイアザミ、およびそれらの組み合わせが含まれるが、これらに限定されない。異なる硬木の組み合わせ、異なる軟木の組み合わせ、硬木（複数可）と軟木（複数可）との組み合わせ、または硬木と軟木のうちの一方もしくはそれらの両方と合板との組み合わせは、リグノセルロース系充填剤として一緒に利用され得る。リグノセルロース系充填剤は、未使用、リサイクル、またはそれらの組み合わせであり得る。
【００２７】
リグノセルロース系充填剤は、任意の形態およびサイズ、例えば、ナノメートル〜ミリメートルの粒径を有し得る。例えば、リグノセルロース系充填剤は、粉末、パルプ、細粉、おがくず、繊維、フレーク、チップ、シェービング、ストランド、スクリム、ウエハー、ウール、わら、粒子、またはそれらの任意の組み合わせを含み得る。リグノセルロース系充填剤は、当業者に知られている様々な技法を介して形成され得る典型的には、その形態により変化する。例えば、リグノセルロース系充填剤は、丸太、枝、工業用木材残留物、粗パルプ材などを粉砕することにより調製され得る。リグノセルロース系充填剤は、所望の粒径に粉砕され得る。例えば、リグノセルロース系充填剤は、ハンマー製粉などの任意の便利な機器を用いて粉砕され得、これにより、混合プロセスでの使用に好適な粒径を有するリグノセルロース系充填剤がもたらされる。所望の粒径は、典型的には、利用される特定の混合プロセスおよびポリマー複合体物品の所望の特性に基づいて、当業者により選択される。粒径とは、形状に関係なく、リグノセルロース系充填剤の寸法を意味し、例えば、繊維の形態の場合のリグノセルロース系充填剤に関連する寸法を含む。当技術分野で知られているように、リグノセルロース系充填剤は、ペレット化するか、さもなければペレットの形態にされ得、組成物に組み込まれたときに形状および寸法を実質的に維持し得るか、または組成物中でより小さな粒子を形成し得る。
【００２８】
あるいは、（Ａ）充填剤は、多糖充填剤を含み得、これは、セルロースまたはヘミセルロース誘導体および任意にリグニンの両方を含み得る。あるいは、多糖充填剤は、Ｂ−Ｄグルコースのサブユニットからなるポリマーから本質的になり得るか、あるいはそれからなり得る。あるいは、多糖充填剤は、デンプン、プルラン、ペクチン、デキストラン、アルギン酸塩、またはキチンおよびキトサンなどの動物由来の多糖類を含み得る。
【００２９】
ある特定の実施形態では、（Ａ）充填剤は、リグノセルロース充填剤、ミネラル充填剤、ガラス充填剤、カーボン充填剤、顔料、およびそれらの組み合わせから選択される。ある特定の実施形態では、（Ａ）充填剤は、リグノセルロース充填剤、ミネラル充填剤、ガラス充填剤、カーボン充填剤、顔料、およびそれらの組み合わせから本質的になる。特定の実施形態では、（Ａ）充填剤は、リグノセルロース充填剤、ミネラル充填剤、ガラス充填剤、カーボン充填剤、顔料、およびそれらの組み合わせからなる。（Ａ）充填剤がミネラル充填剤を含む場合、ミネラル充填剤は、典型的には、炭酸カルシウム（ＣａＣＯ３）および／またはタルクから選択される。そのような実施形態では、ミネラル充填剤は、本組成物およびそれを用いて形成されたプラスチック複合体物品における補強充填剤、増量充填剤、またはそれら両方の組み合わせであり得る。（Ａ）充填剤の選択は、典型的には、本組成物を用いて形成されるポリマー複合体物品およびポリマー複合体物品の最終使用用途により変化する。
【００３０】
充填剤の選択に関係なく、（Ａ）充填剤は、未処理、前処理、または任意の充填剤処理剤と組み合わせて本組成物を形成するために添加され得、そのように添加されるとき、充填剤処理剤は、本組成物中で（Ａ）充填剤をその場で処理し得る。
【００３１】
充填剤処理剤は、アルコキシシランなどのシラン、アルコキシ官能性オリゴシロキサン、環状ポリオルガノシロキサン、ジメチルシロキサンもしくはメチルフェニルシロキサンなどのヒドロキシル官能性オリゴシロキサン、有機ケイ素化合物、ステアレート、または脂肪酸を含み得る。充填剤処理剤は、単一の充填剤処理剤、または類似もしくは異なるタイプの分子から選択される２つ以上の充填剤処理剤の組み合わせを含み得る。
【００３２】
充填剤処理剤は、モノアルコキシシラン、ジアルコキシシラン、トリアルコキシシラン、またはテトラアルコキシシランであり得るアルコキシシランを含み得る。アルコキシシラン充填剤処理剤は、ヘキシルトリメトキシシラン、オクチルトリエトキシシラン、デシルトリメトキシシラン、ドデシルトリメトキシシラン、テトラデシルトリメトキシシラン、フェニルトリメトキシシラン、フェニルエチルトリメトキシシラン、オクタデシルトリメトキシシラン、オクタデシルトリエトキシシラン、およびそれらの組み合わせにより例示される。ある特定の態様では、アルコキシシラン（複数可）は、表面ヒドロキシルとの反応性の低いアルコキシシラン反応を触媒するシラザンと組み合わせて使用され得る。そのような反応は、典型的には、アンモニア、メタノール、および水などの揮発性副産物を除去しながら、高剪断で１００℃を超えて行われる。
【００３３】
好適な充填剤処理剤はまた、アルコキシシリル官能性アルキルメチルポリシロキサン、または加水分解性基が、例えば、シラザン、アシルオキシ、もしくはオキシモを含み得る類似の材料を含む。
【００３４】
アルコキシ官能性オリゴシロキサンも充填剤処理剤として使用され得る。アルコキシ官能性オリゴシロキサンおよびそれらの調製のための方法は、当技術分野で一般に知られている。他の充填剤処理剤は、モノエンドキャップされたアルコキシ官能性ポリジオルガノシロキサン、すなわち、一端にアルコキシ官能基を有するポリオルガノシロキサンを含む。
【００３５】
あるいは、充填剤処理剤は、シリカ充填剤を処理するために典型的に使用される有機ケイ素化合物のいずれかであり得る。有機ケイ素化合物の例には、メチルトリクロロシラン、ジメチルジクロロシラン、およびトリメチルモノクロロシランなどのオルガノクロロシラン；ヒドロキシ末端封鎖ジメチルシロキサンオリゴマー、水素化ケイ素官能性シロキサン、ヘキサメチルジシロキサン、およびテトラメチルジビニルジシロキサンなどのオルガノシロキサン；ヘキサメチルジシラザンおよびヘキサメチルシクロトリシラザンなどのオルガノシラザン；ならびに、メチル、プロピル、ｎ−ブチル、ｉ−ブチル、ｎ−ヘキシル、ｎ−オクチル、ｉ−オクチル、ｎ−デシル、ドデシル、テトラデシル、ヘキサデシル、またはオクタデシル置換基を有するアルキルアルコキシシランなどのオルガノアルコキシシランが含まれる。有機反応性アルコキシシランは、アミノ、メタクリロキシ、ビニル、グリシドキシ、エポキシシクロヘキシル、イソシアヌラト、イソシアナト、メルカプト、スルフィド、ビニル−ベンジル−アミノ、ベンジル−アミノ、またはフェニル−アミノ置換基を含み得る。あるいは、充填剤処理剤は、オルガノポリシロキサンを含み得る。（Ａ）充填剤の表面を処理するためのそのような充填剤処理剤の使用は、オルガノシロキサンを（Ａ）充填剤の表面に結合する方法として、クラスター化、または分散化、またはそれらの両方の複数の水素結合を利用し得る。水素結合可能なオルガノシロキサンは、分子当たり、水素結合可能な少なくとも１つのケイ素結合基の平均を有する。この基は、複数のヒドロキシル官能基を有する一価の有機基、または少なくとも１つのアミノ官能基を有する一価の有機基から選択され得る。水素結合は、オルガノシロキサンの（Ａ）充填剤への結合の主要なモードであり得る。オルガノシロキサンは、（Ａ）充填剤と共有結合を形成できない場合がある。水素結合可能なオルガノシロキサンは、サッカライド−シロキサンポリマー、アミノ官能性オルガノシロキサン、およびそれらの組み合わせからなる群から選択され得る。あるいは、水素結合が可能なポリオルガノシロキサンは、サッカライド−シロキサンポリマーであり得る。
【００３６】
あるいは、充填剤処理剤は、オクタデシルメルカプタンなどのアルキルチオール、ならびにオレイン酸、ステアリン酸、チタネート、チタネート結合剤、ジルコネート結合剤、およびそれらの組み合わせなどの脂肪酸を含み得る。当業者は、過度の実験なしに（Ａ）充填剤の分散を助けるために充填剤処理剤を最適化することができる。
【００３７】
利用される場合、充填剤処理剤および（Ａ）充填剤の相対量は、利用される特定の充填剤、ならびに充填剤処理剤、およびそれらの所望の効果または特性に基づいて選択される。
【００３８】
（Ａ）充填剤は、本組成物の総重量に基づいて、１０〜９０、あるいは１０〜８０、あるいは２０〜７５、あるいは３０〜７０、あるいは４５〜６５重量パーセントの量で本組成物中に存在する。ある特定の他の実施形態では、（Ａ）充填剤は、本組成物の総重量に基づいて、２０〜５０重量パーセントの量で本組成物中に存在する。あるいは、（Ａ）充填剤は、木材プラスチック複合体またはミネラル充填複合体などのある特定の用途では、本組成物の総重量に基づいて、６５〜８５、あるいは７０〜８０重量パーセントの量で存在し得る。あるいは、ある特定の用途では、本組成物中の（Ａ）充填剤の相対量を最大にすることが望ましく、それにより、それを用いて形成されたポリマー複合体物品の望ましい特性が維持または得られる限り、その全体のコストが低減される。当業者は、以下に記載されるように、コストおよび得られる特性のバランス、ならびに他の任意の成分の有無を含む、この目的のために（Ａ）充填剤の量が変更され得ることを理解する。
【００３９】
さらに、（Ａ）充填剤は、異なるタイプの充填剤のブレンドを含み得る。例えば、本組成物が木材プラスチック複合体を調製するために利用される場合、（Ａ）充填剤は、リグノセルロース充填剤と補強充填剤、例えば、タルクおよび／または炭酸カルシウムとのブレンドを含み得る。さらに、ポリマー複合体物品の特性をカスタマイズまたは選択的に制御もしくは改善するために、耐火性のものなどの特定の充填剤も含められ得る。そのような実施形態では、本組成物は、例えば、成分（Ａ）、（Ｂ）、および（Ｃ）の合計重量に基づいて、各々、最大５０重量パーセントのリグノセルロース充填剤、最大２０重量パーセントのミネラル充填剤、および任意により少量の他のタイプの充填剤を含み得る。
【００４０】
（Ｂ）ポリマー
本組成物は、（Ｂ）ポリマーをさらに含む。ポリマーは、ポリマー複合体物品を調製するための組成物およびそれから調製された複合体物品において、連続相の全部または一部を形成し得る。特定の実施形態では、（Ｂ）ポリマーは、熱可塑性物質である。他の特定の実施形態では、（Ｂ）ポリマーは、エラストマーである。（Ｂ）ポリマーの選択は、典型的には、様々なポリマーが異なる融点温度（および／またはガラス転移温度）および物理的／機械的特性、ならびに好適または許容可能な連続使用用途温度を有するため、本組成物で形成されたポリマー複合体物品の所望の最終使用用途により変化する。ある特定の実施形態では、（Ｂ）ポリマーは、本組成物中の他の成分の分解温度よりも低い軟化点温度を有する。これらの実施形態では、（Ｂ）ポリマーは、４２５℃未満、あるいは４００℃未満、あるいは３７５℃未満の軟化点温度を有する。軟化点温度は、加工温度と呼ばれることもある。あるいは、（Ｂ）ポリマーは、ポリビニルを含むか、あるいはポリビニルである。ある特定の実施形態では、（Ｂ）ポリマーは粉末である。
【００４１】
好適なポリビニルの非限定的な例には、ポリ塩化ビニル、ポリビニルアルコール、ポリビニルエステル（ビニルエステルまたはポリ酢酸ビニル）、およびそれらの組み合わせが含まれる。特定の実施形態では、（Ｂ）ポリマーは、ポリ塩化ビニルを含む。一実施形態では、（Ｂ）ポリマーは、ポリ塩化ビニルである。これらのポリマーは、代替的にプラスチックと呼ばれ得る。さらに、エラストマーおよび／またはゴムは、衝撃強度などの特性を改良または改善するために、（Ｂ）ポリマーに添加またはそれと配合され得る。
【００４２】
ある特定の実施形態では、（Ｂ）ポリマーは、本質的にポリビニルからなる。本質的にからなるとは、（Ｂ）ポリマーが、ポリビニル以外の１つ以上の追加のポリマーを含み得ることを意味するが、これは、そのような追加のポリマーが、（Ｂ）ポリマーと共に加工されて、ポリマー複合体物品を形成することができる場合に限る。さらに他の実施形態では、（Ｂ）ポリマーは、ポリビニルからなる。（Ｂ）ポリマーが、ポリビニルからならないとき、（Ｂ）ポリマーは、典型的には、本組成物中で利用される（Ｂ）ポリマーの総重量に基づいて、少なくとも５０、あるいは少なくとも６０、あるいは少なくとも６５、あるいは少なくとも７０、あるいは少なくとも７５、あるいは少なくとも８０、あるいは少なくとも８５、あるいは少なくとも９０、あるいは少なくとも９５、あるいは少なくとも９６、あるいは少なくとも９７、あるいは少なくとも９８、あるいは少なくとも９９重量％の量のポリビニルを含む。
【００４３】
（Ｂ）ポリマーが、ポリビニル以外、かつポリビニルに加えてポリマーを含むとき、（Ｂ）ポリマーは、ポリオレフィン（例えば、ポリエチレン（ＰＥ）、ポリプロピレン（ＰＰ）、ポリブチレン、ポリ（ポリ１−ブテン）、ポリイソブテン、ポリ（１−ペンテン）、ポリ（３−メチル−１−ペンテン）、ポリ（４−メチル−１−ヘキセン）、ポリ（５−メチル−１−ヘキセン）など）、ポリシクロオレフィン、ポリアミド（例えば、ナイロン６、ナイロン６６など）、ポリエステル（例えば、ポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）、液晶ポリエステル、ポリシクロヘキシレンジメチレンテレフタレート（ＰＣＴ）など）、ポリカーボネート、ポリスチレン、ポリイミド、ポリフェニレンスルフィド；ポリフェニレンエーテル；ポリアミドイミド、ポリオキシメチレン（ＰＯＭ）、エチレンビニルアルコール（ＥＶＯＨ）、エチレンビニルアセテート（ＥＶＡ）、エチレンアルキル（メタ）アクリレート、エチレンプロピレンジエンモノマー（ＥＰＤＭ）、エチレンプロピレンゴム（ＥＰＲ）、アクリル（例えば、ポリメチルメタクリレート）、セルロース（例えば、トリアセチルセルロース、ジアセチルセルロース、セロファンなど）、ポリウレタン、ポリエーテルイミド（ＰＥＩ）；ポリスルホン（ＰＳＵ）；ポリエーテルスルホン；ポリケトン（ＰＫ）；ポリエーテルケトン（ＰＥＫ）；ポリエーテルエーテルケトン（ＰＥＥＫ）；ポリエーテルケトン（ＰＥＫＫ）；ポリアリレート（ＰＡＲ）；ポリエーテルニトリル（ＰＥＮ）；ポリスルホン；ポリエーテルスルホン；ポリフェニルスルホン；ポリエーテルイミド；レゾールタイプ；尿素（例えば、メラミンタイプ）；ＡＢＳ（アクリロニトリルブタジエンスチレンポリマー）、ポリテトラフルオロエチレンなどのフッ素化樹脂；熱可塑性加硫物；スチレン系；ポリスチレンタイプ、ポリオレフィンタイプ、ポリウレタンタイプ、ポリエステルタイプ、ポリアミドタイプ、ポリブタジエンタイプ、ポリイソプレンタイプ、フルオロタイプなどの熱可塑性エラストマー、ならびにそれらのコポリマー、修正物、および組み合わせをさらに含み得る。
【００４４】
（Ｂ）ポリマーは、エラストマーをさらに含み得る。エラストマーの非限定的な例には、スチレン−ブタジエンゴム、ポリエーテルウレタンゴム、ポリエステルウレタンゴム、ブチルゴム、ニトリルゴム、クロロプレンゴム（ネオプレン）、ポリアクリレートゴム、エチレンアクリレートゴム、エチレン−プロピレンゴム、エチレン−プロピレン−ジエンゴム、エチレンプロピレンジエンモノマー（ＥＰＤＭ）、エチレンプロピレンゴム（ＥＰＲ）、フルオロシリコーンゴム、フルオロカーボンゴム、全フッ素置換化エラストマー、スチレンブタジエンゴム、クロロスルホン化ポリエチレン、ポリイソプレンゴム、ポリスルフィドゴム、エチレンアクリレートゴム、エピクロロヒドリンゴム、全フッ素化エラストマー（例えば、Ｋａｌｒｅｚ（商標））、ポリスルフィドゴム、塩素化ポリエチレン（例えば、最大４０重量パーセントの塩素を含む塩素化ポリエチレン）、およびそれらの組み合わせが含まれる。
【００４５】
利用される（Ｂ）ポリマーに関係なく、（Ｂ）ポリマーは、未使用のポリマーおよび／またはリサイクルされたポリマーを含み得る。リサイクルされたポリマーは、利用される場合、工業生産ストリームから、ならびにポスト工業用供給源および／またはポスト消費用供給源から供給され得る。（Ｂ）ポリマー、ならびに協調して利用される場合の未使用のポリマー対リサイクルされたポリマーの任意の比率の選択は、典型的には、それを用いて形成されたポリマー複合体物品のコストおよび所望の特性により変化する。
【００４６】
（Ｂ）ポリマーは、本組成物の総重量に基づいて、１０〜９０、あるいは２０〜９０、あるいは２５〜８０、あるいは３０〜７０、あるいは３５〜５５、あるいは４０〜５０重量パーセントの量で本組成物中に存在し得る。特定の実施形態では、本組成物中の（Ｂ）ポリマーの相対量を最小限に抑えることが望ましく、それにより、それを用いて形成されたポリマー複合体物品の望ましい特性が維持または得られる限り、選択に応じてその全体のコストが低減され得る。当業者は、以下に記載されるように、コストおよび得られる特性のバランス、ならびに他の任意の成分の有無を含む、この目的のために（Ｂ）ポリマーの量が変更され得ることを理解する。
【００４７】
特定の実施形態では、（Ａ）充填剤は、リグノセルロース充填剤を含むか、あるいはリグノセルロース充填剤であり、それにより形成されたポリマー複合体物品は、木材プラスチック複合体である。そのような実施形態では、（Ｂ）ポリマーは、成分（Ａ）、（Ｂ）、および（Ｃ）の合計重量に基づいて、１０〜９０、あるいは１５〜８０、あるいは２０〜７５、あるいは２０〜７０、あるいは２０〜６５、あるいは２０〜６０重量パーセントの量で存在し得る。他のそのような実施形態では、（Ｂ）ポリマーは、成分（Ａ）、（Ｂ）、および（Ｃ）の合計重量に基づいて、４０〜９０、あるいは４０〜８５、あるいは４０〜８０、あるいは４０〜７５、あるいは４０〜７０、あるいは４０〜６５、あるいは４０〜６０重量パーセントの量で存在し得る。さらに他のそのような実施形態では、（Ｂ）ポリマーは、成分（Ａ）、（Ｂ）、および（Ｃ）の合計重量に基づいて、６０〜９０、あるいは６０〜８５、あるいは６０〜８０、あるいは６０〜７５、あるいは６０〜７０、あるいは６０〜６５重量パーセントの量で存在し得る。あるいは、さらに、（Ｂ）ポリマーは、成分（Ａ）、（Ｂ）、および（Ｃ）の合計重量に基づいて、８０〜９０重量パーセントの量で存在し得る。
【００４８】
他の特定の実施形態では、（Ａ）充填剤は、ミネラル充填剤、ガラス繊維、炭素繊維、またはそれらの組み合わせを含むか、あるいはミネラル充填剤、ガラス繊維、炭素繊維、またはそれらの組み合わせである。そのような実施形態では、（Ｂ）ポリマーは、成分（Ａ）、（Ｂ）、および（Ｃ）の合計重量に基づいて、４０〜９０、あるいは４５〜８５、あるいは４０〜８０、あるいは４５〜８０、あるいは５０〜８０、あるいは５５〜８０、あるいは６０〜８０重量パーセントの量で存在し得る。
【００４９】
（Ｃ）オルガノポリシロキサン
本組成物は、（Ｃ）オルガノポリシロキサンをさらに含む。（Ｃ）オルガノポリシロキサンは、少なくとも１つのケイ素結合ヒドロキシル基を有する。（Ｃ）オルガノポリシロキサンは、２５℃で少なくとも１２０ｍＰａ・ｓ、あるいは１２０ｍＰａ・ｓ〜２５０，０００ｍＰａ・ｓの粘度を有する。ある特定の実施形態では、（Ｃ）オルガノポリシロキサンは、２５℃で１，０００〜６０，０００、あるいは１，０００〜５０，０００、あるいは２，０００〜５０，０００ｍＰａ・ｓの粘度を有する。粘度は、＃５２スピンドルを備えたＢｒｏｏｋｆｉｅｌｄ  ＤＶ−ＩＩＩコーン＆プレート粘度計で、２５℃での０．１〜５０ＲＰＭで測定され得る。当業者は、オルガノポリシロキサンの粘度が増加するにつれて、粘度試験方法のＲＰＭが５０〜０．１ＲＰＭに減少することを理解するであろう。
【００５０】
あるいは、（Ｃ）オルガノポリシロキサンにおいて、ケイ素結合ＯＨ基は、（Ｃ）オルガノポリシロキサンの重量に基づいて、少なくとも５０ｐｐｍの量で存在し得る。あるいは、ケイ素結合ＯＨ基は、同じ基準で、５０ｐｐｍ〜１５，０００ｐｐｍ、あるいは５０ｐｐｍ〜１０，０００ｐｐｍ、あるいは２，５００ｐｐｍ〜７，５００ｐｐｍ、あるいは１０，０００〜１５，０００ｐｐｍの量で存在し得る。シリコン結合ＯＨ含有量は、フーリエ変換赤外線（ＦＴＩＲ）分光法により測定され得る。
【００５１】
（Ｃ）オルガノポリシロキサンは、独立して選択され得る２つ以上の異なるオルガノポリシロキサンを含み得る。典型的には、（Ｃ）オルガノポリシロキサンは、本組成物およびポリマー複合体物品の加工助剤として機能する。理論に縛られることを望まないが、（Ｃ）オルガノポリシロキサンは、内部および／または外部の加工助剤であり得る。しかし、（Ｃ）オルガノポリシロキサンは、例えば、本組成物およびポリマー複合体物品の物理的または機械的特性を改良するための加工助剤としての機能に対する追加、またはその代替となる他の目的に機能し得る。
【００５２】
一般には、（Ｃ）オルガノポリシロキサンの区分に応じて、様々な利点が実現され得る。例えば、組成物が押し出し機内で混合される場合、（Ｃ）オルガノポリシロキサンは、一般に、押し出し機内の組成物の溶融温度を低減させる。溶融温度の低減は、組成物中（および押し出し機内）の任意の１つの個々の成分の融点温度とは対照的に、押し出し機内の組成物の温度を指す。重要なことに、これにより、低温での組成物の加工が可能になり、コストおよび美観を含む無数の利益が提供される。例えば、リグノセルロース充填剤などのある特定の充填剤は、典型的には、組成物を流動性にするために必要である組成物のある特定の高い加工温度で炭化または分解し得る。（Ｃ）オルガノポリシロキサンの使用により、（Ａ）充填剤およびポリマー複合体物品の他の態様に劣化、炭化、またはその他の悪影響を与えることなく、低温でポリマー複合体物品を調製することが可能になる。さらに、本組成物を押し出し機内で混合する場合、（Ｃ）オルガノポリシロキサンを含むことにより、一般に押し出し機のトルクが低減される。トルクの低減により、より大きな出力が可能になり、これは、生成スループットの観点から特に重要である。
【００５３】
ある特定の実施形態では、（ｉ）押し出し加工温度は、（Ｃ）オルガノポリシロキサンを含まない（Ａ）充填剤と（Ｂ）ポリマーとの混合物の押し出し加工温度と比較して低減され、かつ／または（ｉｉ）本組成物を混合するときの押し出し機のトルクは、（Ｃ）オルガノポリシロキサンを含まない（Ａ）充填剤と（Ｂ）ポリマーとの混合物を押し出すときの押し出し機のトルクと比較して低減される。押し出し加工温度は、本組成物が一般に押し出し機内で加工可能であり、例えば、本組成物中の（Ｂ）ポリマーおよび他の成分を溶融する温度である。押し出し加工温度は、本組成物中のいずれか１つの成分の融点温度とは区別される。
【００５４】
（Ｃ）オルガノポリシロキサンは、線状、分岐状、部分分岐状、環状、樹脂状（すなわち、三次元ネットワークを有する）であり得るか、または異なる構造の組み合わせを含み得る。例えば、（Ｃ）オルガノポリシロキサンは、（Ｃ）オルガノポリシロキサンが少なくとも１つのケイ素結合ヒドロキシル基を含む限り、Ｍ、Ｄ、Ｔ、および／またはＱシロキシ単位の任意の組み合わせを含み得る。これらのシロキシ単位は、様々な様式で組み合わされて、環状、線状、分岐状、および／または樹脂状（三次元ネットワーク）構造が形成され得る。
【００５５】
ある特定の実施形態では、（Ｃ）オルガノポリシロキサンは、以下の平均単位式を有し、
［Ｒ３ＳｉＯ１／２］ａ［Ｒ２ＳｉＯ２／２］ｂ［ＲＳｉＯ３／２］ｃ［ＳｉＯ４／２］ｄ
式中、各Ｒが独立して、ＯＨおよびヒドロカルビル基から選択されるが、ただし、少なくとも１つの分子において、少なくとも１つのＲがＯＨであることを条件とし、０＜ａ≦０．９９、０＜ｂ≦０．９９、０≦ｃ≦０．２、かつ０≦ｄ≦０．２であるが、ただし、ａ＋ｂ＋ｃ＋ｄ＝１であることを条件とする。
【００５６】
ＯＨではない各Ｒは独立して、線状、分岐状、環状、またはそれらの組み合わせであり得る。環状ヒドロカルビル基は、アリール基、ならびに飽和または非共役環状基を包含する。アリール基は、単環式でも多環式でもよい。線状および分岐状ヒドロカルビル基は独立して、飽和または不飽和であり得る。線状と環状ヒドロカルビル基との組み合わせの一例は、アラルキル基である。Ｒがアリール基でない場合、Ｒは飽和しており、すなわち、Ｒはエチレン性不飽和を含まない。
【００５７】
ヒドロカルビル基は、メチル、エチル、プロピル、イソプロピル、ブチル、イソブチル、ｔ−ブチル、ペンチル、ヘキシル、シクロヘキシル、ヘプチル、オクチル、ノニル、デシル、または類似のアルキル基；およびフェニル、トリル、キシリル、ナフチル、または類似のアリール基；ベンジル、フェネチル、または類似のアラルキル基により例示され得る。
【００５８】
ケイ素結合ＯＨ基（複数可）は、（Ｃ）オルガノポリシロキサン中に存在する任意のＭ、Ｄ、および／またはＴシロキシ単位中に存在し、同じケイ素原子に結合し得る（Ｍおよび／またはＤシロキシ単位の場合）。（Ｃ）オルガノポリシロキサンは、例えば、Ｍシロキシ単位として、（Ｒ３ＳｉＯ１／２）、（Ｒ２（ＯＨ）ＳｉＯ１／２）、（Ｒ（ＯＨ）２ＳｉＯ１／２）、および／または（（ＯＨ）３ＳｉＯ１／２）を含み得る。（Ｃ）オルガノポリシロキサンは、例えば、Ｄシロキシ単位として、（Ｒ２ＳｉＯ２／２）、（Ｒ（ＯＨ）ＳｉＯ２／２）、および／または（（ＯＨ）２ＳｉＯ２／２）を含み得る。（Ｃ）オルガノポリシロキサンは、例えば、Ｔシロキシ単位として、（ＲＳｉＯ３／２）および／または（（ＯＨ）ＳｉＯ３／２）を含み得る。そのようなシロキシ単位は、任意の様式で、任意にＱシロキシ単位と組み合わされて、少なくとも１つのケイ素結合ＯＨ基を有するオルガノポリシロキサンを得ることができる。
【００５９】
（Ｃ）オルガノポリシロキサンは、（Ｃ）オルガノポリシロキサンがＴシロキシ単位および／またはＱシロキシ単位を含む場合、分岐状または樹脂状である。（Ｃ）オルガノポリシロキサンが分岐状または樹脂状である場合、（Ｃ）オルガノポリシロキサンは、典型的には、Ｍシロキシ単位および／またはＤシロキシ単位と組み合わせて、Ｔシロキシ単位および／またはＱシロキシ単位を含むコポリマーである。例えば、（Ｃ）オルガノポリシロキサンは、ＤＴ樹脂、ＭＴ樹脂、ＭＤＴ樹脂、ＤＴＱ樹脂、ＭＴＱ樹脂、ＭＤＴＱ樹脂、ＤＱ樹脂、ＭＱ樹脂、ＤＴＱ樹脂、ＭＴＱ樹脂、またはＭＤＱ樹脂であり得る。あるいは、ある特定の実施形態では、（Ｃ）オルガノポリシロキサンは線状であり、その場合、（Ｃ）オルガノポリシロキサンは、Ｍシロキシ単位と組み合わせてＤシロキシ単位を含む。
【００６０】
ある特定の実施形態では、（Ｃ）オルガノポリシロキサンは、以下の平均単位式を有し、
［Ｒ１３−ｎ（ＯＨ）ｎＳｉＯ１／２］ａ’［Ｒ１２−ｍ（ＯＨ）ｍＳｉＯ２／２］ｂ’［Ｒ１ＳｉＯ３／２］ｃ’［ＳｉＯ４／２］ｄ’
式中、各Ｒ１が、独立して選択されたヒドロカルビル基であり、ｎが０、１、２、または３であり、ｍが０、１、または２であるが、ただし、ｎおよびｍが同時に０ではないことを条件とし、０＜ａ’＜１、０＜ｂ’＜１、０≦ｃ’≦０．１かつ０≦ｄ’≦０．１であるが、ただし、ａ’＋ｂ’＋ｃ’＋ｄ’＝１であることを条件とする。この平均単位式において、少なくとも１つのケイ素結合ＯＨ基は、（Ｃ）オルガノポリシロキサンのＭおよび／またはＤシロキシ単位中に存在する。
【００６１】
特定の実施形態では、（Ｃ）オルガノポリシロキサンは、実質的に線状、あるいは線状である。これらの実施形態では、（Ｃ）オルガノポリシロキサンは、Ｔシロキシおよび／またはＱシロキシ単位を実質的に含まないか、あるいは含まない。例えば、これらの特定の実施形態では、（Ｃ）オルガノポリシロキサンは、以下の平均単位式を有し得、
［Ｒ１３−ｎ（ＯＨ）ｎＳｉＯ１／２］ａ’’［Ｒ１２−ｍ（ＯＨ）ｍＳｉＯ２／２］ｂ’’
式中、各Ｒ１は独立して選択されたヒドロカルビル基であり、ｎは０、１、２、または３であり、ｍは０、１、または２であるが、ただし、ｎおよびｍが同時に０ではないことを条件とし、０＜ａ’’＜１、０＜ｂ’’＜１であるが、ただし、ａ’’＋ｂ’’＝１であることを条件とする。ある特定の実施形態では、ｎは、１、２、または３である。これらまたは他の実施形態では、ケイ素結合ＯＨ基（複数可）がＭシロキシ単位に位置し、したがって末端であるように、ｍは０である。（Ｃ）オルガノポリシロキサンの粘度を考慮すると、上で紹介され、以下に記載されるように、典型的にはｂ’’＞ａ’’である。各Ｒ１は、典型的には、メチルである。
【００６２】
（Ｃ）オルガノポリシロキサンが実質的に線状、あるいは線状であり、末端ケイ素結合ＯＨ基（複数可）を含む場合、（Ｃ）オルガノポリシロキサンは、以下の平均単位式を有し得、
Ｒ１３−ｘ（ＯＨ）ｘＳｉＯ［ＳｉＲ１２Ｏ］ｃ’’Ｓｉ（ＯＨ）ｙＲ１３−ｙ
式中、各Ｒ１は独立して選択されたヒドロカルビル基であり、ｘは０、１、２、または３であり、ｙは０、１、２、または３であるが、ただし、ｘおよびｙが同時に０ではないことを条件とし、ｃ’’は（Ｃ）オルガノポリシロキサンの所望の粘度を提供するのに十分な値を有するか、あるいはｃ’’は６０〜１２００であるか、あるいは１００〜１２００である。ある特定の実施形態では、ｘは１、２、または３であり、ｙは１、２、または３である。下付き文字ｃ’’は、繰り返しＤ単位の数および（Ｃ）オルガノポリシロキサンの重合度（ＤＰ）に関連する。当技術分野で理解されているように、Ｒ１の選択およびＤＰの両方が、（Ｃ）オルガノポリシロキサンの粘度に影響を与える。
【００６３】
利用される（Ｃ）オルガノポリシロキサンに関係なく、（Ｃ）オルガノポリシロキサンは、＃５２スピンドルを備えたＢｒｏｏｋｆｉｅｌｄ  ＤＶ−ＩＩＩコーン＆プレート粘度計で、２５℃での０．１〜５０の範囲のＲＰＭで測定されると少なくとも１，０００ｍＰａ・ｓの粘度を有する。例えば、（Ｃ）オルガノポリシロキサンは、上記の条件下で試験した２５°Ｃで１２０〜２５０，０００、あるいは１０，０００〜１００，０００ｍＰａ・ｓの粘度を有し得る。典型的には、（Ｃ）オルガノポリシロキサンは、上記の条件下で試験した２５°Ｃで１，０００〜６０，０００、あるいは１，０００〜５０，０００、あるいは２，０００〜５０，０００ｍＰａ・ｓの粘度を有する。
【００６４】
（Ｃ）オルガノポリシロキサンは、担体ビヒクルをさらに含み得る。担体ビヒクルは、（Ｃ）オルガノポリシロキサンが担体ビヒクルにより単に担持されるか、もしくは担体ビヒクルに分散されるか、または（Ｃ）オルガノポリシロキサンが担体ビヒクルに可溶化されるかどうかに応じて、有機担体ビヒクル、任意に有機溶媒を含み得る。例えば、（Ｃ）オルガノポリシロキサンは、例えば、担体ビヒクルが水である場合、担体ビヒクルに可溶化され得るか、または担体ビヒクルに乳化され得る。好適な担体ビヒクルの具体例には、メタノール、エタノール、イソプロパノール、ブタノール、もしくはｎ−プロパノールなどのアルコール；アセトン、メチルエチルケトン、もしくはメチルイソブチルケトンなどのケトン；ベンゼン、トルエン、もしくはキシレンなどの芳香族炭化水素；ヘプタン、ヘキサン、もしくはオクタンなどの脂肪族炭化水素；プロピレングリコールメチルエーテル、ジプロピレングリコールメチルエーテル、プロピレングリコールｎ−ブチルエーテル、プロピレングリコールｎ−プロピルエーテル、もしくはエチレングリコールｎ−ブチルエーテルなどのグリコールエーテル；ジクロロメタン、１，１，１−トリクロロエタン、もしくはメチレンクロリドなどのハロゲン化炭化水素；クロロホルム；ジメチルスルホキシド；ジメチルホルムアミド、アセトニトリル；テトラヒドロフラン；揮発油；ミネラルスピリット；ナフサ；ｎ−メチルピロリドン；またはそれらの組み合わせが含まれる。
【００６５】
好適な担体ビヒクルには、線状および環状の両方のシリコーン、有機油、有機溶媒、ならびにこれらの混合物が含まれる。例えば、シリコーンに対して、担体ビヒクルは、ポリジアルキルシロキサン、例えば、ポリジメチルシロキサンを含み得る。担体ビヒクルは、ミネラル充填剤、例えば、本組成物の（Ａ）充填剤でもあり得る。
【００６６】
担体ビヒクルはまた、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデアメチルヘプタシロキサン、ヘプタメチル−３−｛（トリメチルシリル）オキシ）｝トリシロキサン、ヘキサメチル−３，３，ビス｛（トリメチルシリル）オキシ｝トリシロキサンペンタメチル｛（トリメチルシリル）オキシ｝シクロトリシロキサン、ならびにポリジメチルシロキサン、ポリエチルシロキサン、ポリメチルエチルシロキサン、ポリメチルフェニルシロキサン、ポリジフェニルシロキサン、カプリリルメチコン、およびこれらの任意の混合物などの、２５℃で１〜１，０００ｍｍ２／秒の範囲の粘度を有する、低粘度オルガノポリシロキサン、または揮発性メチルシロキサン、または揮発性エチルシロキサン、または揮発性メチルエチルシロキサンであり得る。
【００６７】
しかし、（Ｃ）オルガノポリシロキサンは、典型的には、ニートで、すなわち、担体ビヒクルが一切存在しない状態で利用される。（Ｃ）オルガノポリシロキサンが担体ビヒクルに含まれる場合、担体ビヒクルが（Ｃ）オルガノポリシロキサンの粘度を低減し得るため、上で参照される粘度は、典型的には、担体ビヒクルに関係なく（Ｃ）オルガノポリシロキサンのオルガノポリシロキサンに適用できる。さらに、担体ビヒクルは、最初に（Ｃ）オルガノポリシロキサンと共に存在し、本組成物および／またはそれを用いたポリマー複合体物品を作製する前にそこから排出され得る。例えば、本発明の方法に関連して以下により詳細に記載されるように、担体ビヒクルは、本組成物の成分を組み合わせるときに存在し、その後揮発または除去され得る（ポリマー複合体物品の調製前および／または調製中）。
【００６８】
（Ｃ）オルガノポリシロキサンは、典型的には、本組成物の総重量に基づいて、０超〜１０、あるいは０．２５〜９、あるいは０．２５〜５、あるいは０．５〜５、あるいは０．８〜４、あるいは１〜４、あるいは１〜３重量％の量で利用される。特定の実施形態では、（Ｃ）オルガノポリシロキサンは、本組成物の総重量に基づいて、０．７５〜３重量％の量で利用される。
【００６９】
特定の実施形態では、（Ａ）充填剤は、リグノセルロース充填剤を含むか、あるいはリグノセルロース充填剤であり、（Ｂ）ポリマーは、ポリ塩化ビニルを含むか、あるいはポリ塩化ビニルである。そのような実施形態では、（Ｃ）オルガノポリシロキサンは、典型的には、成分（Ａ）、（Ｂ）、および（Ｃ）の合計重量に基づいて、０．５〜３重量パーセントの量で利用される。
【００７０】
別の特定の実施形態では、（Ａ）充填剤は、タルクを含むか、あるいはタルクであり、（Ｂ）ポリマーは、ポリ塩化ビニルを含むか、あるいはポリ塩化ビニルである。そのような実施形態では、（Ｃ）オルガノポリシロキサンは、典型的には、成分（Ａ）、（Ｂ）、および（Ｃ）の合計重量に基づいて、０．２５〜５、あるいは０．２５〜２、あるいは１〜５重量パーセントの量で利用される。
【００７１】
別の特定の実施形態では、（Ａ）充填剤は、炭酸カルシウムを含むか、あるいは炭酸カルシウムであり、（Ｂ）ポリマーは、ポリ塩化ビニルを含むか、あるいはポリ塩化ビニルである。そのような実施形態では、（Ｃ）オルガノポリシロキサンは、典型的には、成分（Ａ）、（Ｂ）、および（Ｃ）の合計重量に基づいて、０．２５〜５、あるいは０．２５〜２、あるいは１〜５重量パーセントの量で利用される。
【００７２】
（Ｃ）オルガノポリシロキサンは、ニートな（純粋な）形態で利用され得るが、あるいは、任意の他の好適な形態で提供されてもよく、例えば、前述の担体ビヒクルと組み合わせて希釈液体形態で提供されてもよく、またはあるいは固体形態で提供されてもよい。ある特定の実施形態では、（Ｃ）オルガノポリシロキサンは、２５℃で液体である。
【００７３】
あるいは、（Ｃ）オルガノポリシロキサンは、固体担体成分の一部であり得る。固体担体成分は、周囲温度および圧力（例えば、２５℃および１気圧）で固体である。固体担体成分は、（Ｃ）オルガノポリシロキサンを本組成物中の１つ以上の他の出発材料と組み合わせることにより形成され得る。固体担体成分は、典型的には、微粒子形態であり、例えば、粒子、ペレット、粉末などの形態であり得る。固体担体成分の平均粒径は、その所望の特性により変化する。ある特定の実施形態では、固体担体成分は、粉末である。他の実施形態では、固体担体成分は、ペレットである。ペレットは、典型的には、粉末よりも大きい平均粒径を有する。
【００７４】
一実施形態では、固体担体成分は、上記の（Ｃ）オルガノポリシロキサンと上記の充填剤との組み合わせである。（Ａ）充填剤は、成分（Ａ）として上記の充填剤の全部または一部であり得る。この実施形態では、（Ｃ）オルガノポリシロキサンは、上記の実質的に線状、あるいは線状のオルガノポリシロキサンであり得る。（Ｃ）オルガノポリシロキサンは、以下の平均単位式（Ｉ）または（ＩＩ）を有し得、
［Ｒ１３−ｎ（ＯＨ）ｎＳｉＯ１／２］ａ’’［Ｒ１２−ｍ（ＯＨ）ｍＳｉＯ２／２］ｂ’’（Ｉ）
式中、各Ｒ１が独立して選択されたヒドロカルビル基であり、ｎが０、１、２、もしくは３であり、ｍが０、１、もしくは２であるが、ただし、ｎおよびｍが同時に０ではないことを条件とし、０＜ａ’’＜１、０＜ｂ’’＜１であるが、ただし、ａ’’＋ｂ’’＝１であることを条件とするか、または
Ｒ１３−ｘ（ＯＨ）ｘＳｉＯ［ＳｉＲ１２Ｏ］ｃ’’Ｓｉ（ＯＨ）ｙＲ１３−ｙ（ＩＩ）
式中、各Ｒ１が独立して選択されたヒドロカルビル基であり、ｘが０、１、２、もしくは３であり、ｙが０、１、２、もしくは３であるが、ただし、ｘおよびｙが同時に０ではないことを条件とし、ｃ’’が６０〜１，２００である。この実施形態では、固体担体成分は、上記のような５％〜９５％の充填剤（Ａ）および９５％〜５％のオルガノポリシロキサン（Ｃ）を含む。出発材料に好適な線状オルガノポリシロキサン（Ｃ）には、Ｍｉｄｌａｎｄ，Ｍｉｃｈｉｇａｎ，ＵＳＡのＤｏｗ  Ｓｉｌｉｃｏｎｅｓ  Ｃｏｒｐｏｒａｔｉｏｎから市販されている、１，０００〜６０，０００ｍＰａ・ｓの動粘度を有するビス−ヒドロキシル末端ポリジメチルシロキサン、または、例えば、Ｄｏｗ  Ｓｉｌｉｃｏｎｅｓ  Ｃｏｒｐｏｒａｔｉｏｎから市販されている、異なる粘度を有する他のヒドロキシル末端ポリジメチルシロキサンが含まれる。（Ｃ）オルガノポリシロキサンおよび（Ａ）充填剤は、固体担体成分を形成するために任意の便利な手段を介して組み合わされ得る。
【００７５】
あるいは、固体担体成分は、固体担体成分を本組成物中の他の成分と組み合わせる前に、（Ｃ）オルガノポリシロキサンをポリ塩化ビニルなどの上記の（Ｂ）ポリマーの全部または一部と組み合わせることにより形成してもよい。
【００７６】
あるいは、固体担体成分を本組成物中の他の出発材料と組み合わせる前に、（Ｃ）オルガノポリシロキサンを、成分（Ａ）充填剤の一部、成分（Ｂ）ポリマーの一部、および成分（Ｄ）の全部または一部のうちの１つ以上と組み合わせて、固体担体成分を形成してもよい。
【００７７】
あるいは、固体担体成分は、固体担体成分を本組成物の他の成分と組み合わせる前に、（Ｃ）オルガノポリシロキサンを官能化ポリマーなどの（Ｄ）相溶化剤と組み合わせることにより形成され得る。官能化ポリマーは、本明細書に記載されるように、変性ポリエチレンまたは変性ポリプロピレンなどの（Ｄ）相溶化剤の全部または一部であり得る。
【００７８】
固体担体成分中の官能化ポリマーの量および（Ｃ）オルガノポリシロキサンの量は、官能化ポリマーのタイプ、ならびに（Ｃ）オルガノポリシロキサンの分子量および粘度を含む様々な要因に依存する。しかし、固体担体成分中のオルガノポリシロキサンの量は、固体担体成分が本組成物中の他の出発材料と組み合わされる場合、本組成物中で＞０〜１０％、あるいは１％〜４％、あるいは１％〜３％の（Ｃ）オルガノポリシロキサンを提供するのに十分である。あるいは、固体担体成分は、７０％〜９５％の官能化ポリマーおよび５％〜３０％の（Ｃ）オルガノポリシロキサンを含み得る。
【００７９】
一実施形態では、固体担体成分は、最大４０、あるいは最大３０、あるいは最大２５、あるいは最大２０の重量％の（Ｃ）オルガノポリシロキサンと、残りは成分（Ｂ）としての上記のようなポリマーおよび／または上記の官能化ポリマーとからなる。
【００８０】
代替的な実施形態では、固体担体成分は、（Ｃ）オルガノポリシロキサン、ならびに成分（Ｂ）としての上記のポリマーおよび／もしくは上記のような官能化ポリマーなどのポリマー化合物、ならびに／または上記のものなどの（Ａ）充填剤、もしくは充填剤のうちの２つ以上とポリマー化合物との組み合わせを含み得、ここで、（Ｃ）オルガノポリシロキサン、ポリマー、官能化ポリマー、および（Ａ）充填剤の相対量は、固体担体成分が（Ａ）充填剤と（Ｂ）ポリマーとを含む成分と組み合わされて、本明細書に記載のポリマー複合体物品を調製するための組成物を作製するときに、得られる組成物が、
各々本組成物中の成分（Ａ）、（Ｂ）、および（Ｃ）の総重量に基づいて、
（Ａ）１０〜９０重量％の量の充填剤と、
（Ｂ）１０〜９０重量％の量のポリマーと、
０超〜１０重量％の成分（Ｃ）の量を本組成物に提供するのに十分な量の（Ｃ）オルガノポリシロキサンおよび少なくとも１つの他の成分を含む固体担体成分と、を含むような量である。
【００８１】
上記の（Ｃ）オルガノポリシロキサンおよび少なくとも１つの他の成分を含む固体担体成分は、例えば、好適な混合機器を用いて、混合または剪断下で分散することにより形成され得る、ポリマー化合物（例えば、成分（Ｂ）として記載されるポリマーおよび／もしくは（Ｄ）相溶化剤、例えば、上記の官能化ポリマー、ならびに／またはそれらの組み合わせ）および上記の（Ｃ）オルガノポリシロキサンからの混合組成物を形成することにより調製され得る。あるいは、混合組成物は、上記のように、（Ａ）充填剤の一部をさらに含み得る。例えば、混合組成物は、攪拌機および／または混合ブレードを備えた容器内で分散され得る。容器は、例えば、バンバリー、シグマ（Ｚ）ブレード、またはキャビティトランスファースタイル混合機などの内部混合機であり得る。あるいはまたはさらに、混合組成物は、任意の押し出し機、例えば、回転および／または往復（共混練機）スクリューを備えた単軸スクリュー押し出し機、ならびに接線方向または部分的／完全にかみ合って整列され得、同方向または逆回転方向に回転する２つ以上のスクリューを備える多軸スクリューデバイスであり得る押し出し機内で分散され得るか、またはそれにより加工され得る。あるいは、本明細書に記載の混合組成物を分散させるために、円錐形押し出し機が使用され得る。
【００８２】
上記のように調製された固体担体成分は、再加工可能であり、後続のプロセスで供給するために調製され得る。上記のように調製された混合組成物は、例えば、実質的に連続的なリボンまたは不連続なペレットもしくは粒子もしくは粉末であり得る。実質的に連続的なリボンは、混合組成物を加圧し、それをダイに通して、連続的なストランドまたはテープを作成し、その後好適に包装される前に冷却することにより形成され得る。あるいは、ストランドまたはテープは、ペレットまたは粉末を形成するために粉砕され得る。混合デバイスはまた、混合デバイスが、任意の押し出し機、例えば、回転および／または往復（共混練機）スクリューを備えた単軸スクリュー押し出し機、ならびに接線方向または部分的／完全にかみ合って整列され得、同方向または逆回転方向に回転する２つ以上のスクリューを備える多軸スクリューデバイスであり得る押し出し機である場合、ダイを通して混合組成物を加工するのに必要な圧力を生成することもできる。混合組成物を混合および加圧するために、円錐押し出し機が使用され得る。あるいは、混合組成物が混合された後、押し出しに必要な圧力を生成するためにギアポンプが使用され得る。混合組成物の不連続形態は、混合組成物の連続したリボンをより短い長さに細断することにより作成され得る。あるいは、混合組成物の大きな断片は、粉砕機または寸断機を使用することにより、使用可能なサイズに低減され得る。
【００８３】
ある特定の実施形態では、固体担体成分は、二軸スクリュー押し出し機（スクリューが、部分的または完全に噛み合いながら同時に回転するか、あるいは接線方向に、部分的に、または完全のいずれかで噛み合いながら整列して、逆回転する）などの押し出し機で連続的または半連続的に行われる方法により形成され得る。一実施形態では、（Ｃ）オルガノポリシロキサンは、ポリマー（および、任意に（Ａ）充填剤）と同時に押し出し機に配置される。あるいは、（Ｃ）オルガノポリシロキサンは、ポリマーを溶融させた後、（および（Ａ）充填剤を添加する前に（ある場合は、混合組成物に添加される）押し出し機に配置され得る。あるいは、（Ｃ）オルガノポリシロキサンは、（Ａ）充填剤（存在する場合）およびポリマーの後で、ポリマー混合物が押し出し機を出る前に、押し出し機に配置され得る。あるいは、（Ａ）充填剤は、（Ｃ）オルガノポリシロキサンと同時に押し出し機に配置され得、次に（Ｂ）ポリマーが、押し出し機に配置されて、混合物が得られ、温度は、混合物の配合に好適な温度に増加され得る。押し出し機は、成分が添加され得る１つ以上のゾーン、例えば、１〜３個、あるいは１〜１２個、あるいは３〜１２個、あるいは３〜１０個のゾーンを有し得る。ゾーンは異なる温度で加熱され得、搬送、溶融、混合、脱気、真空、加圧、および形成を含む様々な機能段階を組み込み得る。
【００８４】
固体担体成分を作製するための方法の特定の実施形態では、（Ｂ）ポリマーは、ポリマーの融点温度範囲内の＋／−３０℃で加熱される押し出し機の第１のゾーンに配置される。（Ｃ）オルガノポリシロキサンは、ポリマーの融点温度より１０℃〜９０℃高い温度で加熱される押し出し機の第２のゾーンに配置される。（Ａ）充填剤は、存在する場合、押し出し機の第１、第２、または後続のゾーンのいずれかに配置される。上記のように、利用される温度は、典型的には、本組成物の成分の分解温度よりも低い。ある特定の実施形態では、押し出し機のダイでの加圧および形成の前に、混合物はストリッピングされて、空気、水分、または副産物が一切除去される。真空、加圧、および形成ゾーンも加熱され得、任意のゾーンおよびダイの温度を含む押し出し機により利用される温度は、ポリマーまたは（Ａ）充填剤の分解温度を超えない。当業者に理解されるように、ポリマーおよび（Ａ）充填剤の分解温度は、それらの選択に依存する。得られた押し出しストランドは、（Ｃ）オルガノポリシロキサンおよび少なくとも１つの他の成分を含む固体担体成分を形成するために、任意の便利な手段により粉砕され得る。
【００８５】
一実施形態では、上記のように調製された固体担体成分は、８０％のマレイン化ポリエチレンおよび（Ｃ）２０％のオルガノポリシロキサンを含む。別の実施形態では、上記のように調製された固体担体成分は、成分（Ｂ）としてリサイクルされたポリエチレン、マレイン化ポリエチレン、および上記の（Ｃ）オルガノポリシロキサンを含む。
【００８６】
別の実施形態では、固体担体成分は、成分（Ａ）として木細粉または木繊維、成分（Ｄ）として相溶化剤の種としてマレイン化ポリエチレン、および上記の（Ｃ）オルガノポリシロキサンを含む。この実施形態では、固体担体成分は、（Ａ）３０％の木繊維充填剤、（Ｄ）３５％のマレイン化ポリエチレン、および（Ｃ）３５％のオルガノポリシロキサンを含み得る。代替的な実施形態では、固体担体成分は、成分（Ａ）として炭酸カルシウムとタルクとの混合物、成分（Ｄ）としてマレイン化ポリエチレン、および上記の（Ｃ）オルガノポリシロキサンを含む。
【００８７】
この実施形態では、固体担体成分は、上記のような５％〜９５％の充填剤および９５％〜５％のオルガノポリシロキサンを含む。（Ｃ）オルガノポリシロキサンおよび（Ａ）充填剤は、例えばリボンブレンダー、ペレット化ディスク、ペレット化ドラム、または当業者に知られている他の好適な機器を介する混合などの任意の便利な手段により組み合わされ得る。
【００８８】
あるいは、固体担体成分は、固体担体成分を本組成物中の他の成分と組み合わせる前に、（Ｃ）オルガノポリシロキサンをポリ塩化ビニルなどの上記の（Ｂ）ポリマーの全部または一部と組み合わせることにより形成してもよい。あるいは、固体担体成分は、固体担体成分を本組成物の他の成分と組み合わせる前に、（Ｃ）オルガノポリシロキサンを（Ｄ）相溶化剤としての官能化ポリマーと組み合わせることにより形成され得る。官能化ポリマーは、以下に記載されるように、変性ポリエチレンまたは変性ポリプロピレンなどの（Ｄ）相溶化剤の全部または一部であり得るか、あるいは、（Ｃ）オルガノポリシロキサンは、成分（Ａ）充填剤の一部、成分（Ｂ）ポリマーの一部、および成分（Ｄ）の全部または一部のうちの２つ以上と組み合わされて、固体担体成分を本組成物中の他の出発材料と組み合わせる前に、固体担体成分が形成され得る。成分は、様々な操作順序で、かつ１つ以上の異なる操作で組み合わされ得る。
【００８９】
成分（Ｄ）に好適な官能化ポリマーの例には、無水マレイン酸グラフト化高密度ポリエチレン（ＭＡＨ−ｇ−ＰＥ）が含まれる。ＭＡＨ−ｇ−ＰＥ中のグラフト化ポリエチレンは、高密度ポリエチレン（ＨＤＰＥ）、線状低密度ポリエチレン（ＬＬＤＰＥ）、またはポリオレフィンエラストマーであり得る。ポリエチレン鎖にグラフト化された無水マレイン酸成分の量は、滴定分析、ＦＴＩＲ分析、または任意の他の好適な方法により決定したとき、０．０５重量パーセント超〜３重量パーセント（ポリエチレンの重量に基づいて）である。あるいは、この量は、ポリエチレンの重量に基づいて、０．６〜２．７重量パーセントである。いくつかの実施形態では、無水マレイン酸グラフト化成分の量は、ポリエチレンの重量に基づいて１．０〜２．０重量パーセントである。あるいは、いくつかの実施形態では、無水マレイン酸グラフト化構成成分の量は、ポリエチレンの重量に基づいて、１．０〜１．６重量パーセントである。いくつかの実施形態では、ＭＡＨ−ｇ−ＰＥは、０．２ｇ／１０分〜１５ｇ／１０分のメルトインデックス（Ｉ２）を有する。０．２〜１５ｇ／１０分の全ての個々の値および下位範囲が本明細書に含まれ、本明細書に開示される。例えば、ＭＡＨ−ｇ−ＰＥは、０．２、１、２、３、４、５、６、７、８、９、１０、または１１ｇ／１０分の下限から、５、６、７、８、９、１０、１１、１２、１３、１４、または１５ｇ／１０分の上限までのメルトインデックスを有し得る。いくつかの実施形態では、ＭＡＨ−ｇ−ＰＥは、２〜１５ｇ／１０分のメルトインデックス（Ｉ２）を有する。いくつかの実施形態では、ＭＡＨ−ｇ−ＰＥは、５〜１５ｇ／１０分のメルトインデックス（Ｉ２）を有する。いくつかの実施形態では、ＭＡＨ−ｇ−ＰＥは、７〜１５ｇ／１０分のメルトインデックス（Ｉ２）を有する。
【００９０】
ＭＡＨ−ｇ−ＰＥのグラフト化プロセスは、開始剤を分解して、とりわけ、アゾ含有化合物、カルボン酸ペルオキシ酸およびペルオキシエステル、アルキルヒドロペルオキシド、ならびにジアルキルおよびジアシルペルオキシドを含むフリーラジカルを形成することにより開始することができる。これらの化合物およびそれらの特性の多くが説明されている（参考文献：Ｊ．Ｂｒａｎｄｅｒｕｐ，Ｅ．Ｉｍｍｅｒｇｕｔ，Ｅ．Ｇｒｕｌｋｅ，ｅｄｓ．“Ｐｏｌｙｍｅｒ  Ｈａｎｄｂｏｏｋ，”４ｔｈ  ｅｄ．，Ｗｉｌｅｙ，Ｎｅｗ  Ｙｏｒｋ，１９９９，Ｓｅｃｔｉｏｎ  ＩＩ，ｐｐ．１−７６．）。あるいは、開始剤の分解により形成される種は、酸素系フリーラジカルであり得る。あるいは、開始剤は、カルボン酸ペルオキシエステル、ペルオキシケタール、過酸化ジアルキル、および過酸化ジアシルからなる群から選択され得る。ポリマーの構造の改良に一般的に使用される例示的な開始剤は、米国特許第７，８９７，６８９号の第４８欄の１３行〜第４９欄の２９行にかかる表に列挙されており、これは、参照により組み込まれる。あるいは、ＭＡＨ−ｇ−ＰＥのグラフト化プロセスは、熱酸化プロセスにより生成されるフリーラジカルにより開始することができる。
【００９１】
あるいは、この実施形態では、固体担体成分は、（Ｃ）オルガノポリシロキサンおよび（Ｄ）相溶化剤として官能化ポリマーを含み得る。官能化ポリマーは、官能化ポリオレフィンコポリマーであり得、これは、ポリオレフィンベースおよび１つ以上のグラフト化モノマーのグラフト化残基を含むグラフトコポリマーであり得る。官能化ポリオレフィンコポリマーは、官能化エチレンコポリマーであり得る。あるいは、官能化エチレンコポリマーは、エチレンと１つ以上の官能化コモノマーとの直接コポリマーであり得る。好ましい直接コポリマーには、エチレンと、マレイン酸、フマル酸、イタコン酸、クロトン酸などの、α，β−不飽和ジカルボン酸、ならびに無水物、モノエステル、およびジエステルなどのα，β−不飽和ジカルボン酸の誘導体、ならびにジカルボン酸およびモノエステルのカルボン酸塩からなる群から選択される１つ以上の官能化コモノマーとのコポリマーが限定されることなく含まれる。あるいは、誘導体は、無水物、アルキルモノエステル、およびアルキルジエステルからなる群から選択され得る。あるいは、誘導体は独立して、１〜４個の炭素原子を含む分岐または非分岐アルキル基のエステルから選択され得る。あるいは、α，β−不飽和ジカルボン酸は、マレイン酸であり得る。あるいは、官能化コモノマーは、無水マレイン酸であり得る。直接コポリマーは、直接コポリマーの総重量に基づいて、０．０１％〜１０％、あるいは０．１％〜１０％、あるいは０．１％〜５％、あるいは０．３％〜３％の量の官能化コモノマー（複数可）の共重合残基を含有し得る。
【００９２】
直接コポリマーは、アルキル（メタ）アクリレート、グリシジル（メタ）アクリレート、酢酸エチル、および酢酸ビニルからなる群から選択される１つ以上の追加のコモノマーをさらに含み得る。好適なアルキル基は、分岐状または非分岐状であり、１〜４個の炭素原子を含む。また好ましくは、直接コポリマーは、直接コポリマーの総重量に基づいて、最大４０％、あるいは５％〜３０％の有限量の追加のコモノマー（複数可）の共重合残基を含む。
【００９３】
直接コポリマー中の共重合エチレンの量は、共重合官能化コモノマー（複数可）および他のコモノマー（複数可）（存在する場合）の量に対して相補的であるため、直接コポリマー中のコモノマーの重量パーセントの合計は、１００％である。
【００９４】
直接コポリマーは、ＡＳＴＭ法Ｎｏ．Ｄ１２３８−１３（２０１８年９月に有効になったバージョン）に従って決定される場合、１９０℃および２．１６ｋｇで、１〜１０００ｇ／１０分、あるいは１〜５００ｇ／１０分、あるいは１〜２０ｇ／１０分のメルトフローレート（ＭＦＲ）を有し得る。
【００９５】
好適な直接コポリマーの具体例には、直接コポリマーの総重量に基づいて、５％〜３０％のアルキルアクリレート、０．１％〜５％の無水マレイン酸、および相補的量のエチレンのコポリマーが限定されることなく含まれる。
【００９６】
好適な直接コポリマーは、高圧フリーラジカルプロセス、一般にはオートクレーブプロセスにおいて、エチレンと、官能化コモノマー（複数可）および他のコモノマー（複数可）（存在する場合）とのランダム共重合により合成され得る。例えば、エチレン／マレイン酸モノアルキルコポリマーは、米国特許第４，３５１，９３１号に記載されている好適な高圧プロセスを使用して得ることができる。加えて、好適な直接コポリマーは、Ｋｉｎｇ  ｏｆ  Ｐｒｕｓｓｉａ，ＰＡのＡｒｋｅｍａ，Ｉｎｃ．から、商品名Ｌｏｔａｄｅｒ（商標）ターポリマーおよびＬｙｏｎｄｅｌｌ  ＢａｓｅｌｌからＰｌｅｘａｒ（商標）などの官能性ポリマーとして市販されている。
【００９７】
好適なグラフトコポリマー、好適なポリオレフィンベース、好適なグラフト化モノマー、およびグラフトコポリマーを生成するための好適な方法は、例えば、米国特許第５，３４６，９６３号、同第６，５４５，０９１号、および同第５，０５３，４５７号に記載されている。
【００９８】
しかし、簡単に述べると、グラフトコポリマーに好適なポリオレフィンベースには、ポリエチレンホモポリマー、ならびにアルファオレフィンとのコポリマー、エチレンと酢酸ビニルとのコポリマー、およびエチレンと１つ以上のアルキル（メタ）アクリレートとのコポリマーが限定されることなく含まれる。アルキル基は、分岐していても分岐していなくてもよい。アルキル基は、１〜４個の炭素原子を含み得る。
【００９９】
ポリオレフィンベースがエチレンアルキル（メタ）アクリレートコポリマーである場合、それは、典型的には、エチレンとアルキル（メタ）アクリレートとの好ましいコポリマーに関して上記のようにマルチゾーンまたは「管状」反応器プロセスで合成される。
【０１００】
ポリオレフィンベースがポリエチレンホモポリマーまたはエチレンとより多くのアルファオレフィンのうちの１つとのコポリマーである場合、ポリオレフィンベースは、好ましくは線状または実質的に線状である。ポリオレフィンベースに関して本明細書で使用される「実質的に線状」という用語は、１０００個の炭素あたり０．０１〜３個の長鎖分岐で置換されているポリマー主鎖を指す。ポリオレフィンベースがポリエチレンホモポリマーまたはエチレンとより多くのアルファオレフィンのうちの１つのコポリマーである場合、ポリオレフィンベースは、線状または実質的に線状であり得る。長鎖分岐はポリマー主鎖と同じコモノマー分布を有し、ポリマー主鎖の長さと同じ長さを有し得る。長鎖分岐の長さは、短鎖分岐の炭素長さよりも長く、短鎖分岐は、ポリマー主鎖へのα−オレフィンコモノマーの組み込みから形成される。
【０１０１】
対照的に、ポリオレフィンベースに関して本明細書で使用される「線状」という用語は、測定可能または実証可能な長鎖分岐を欠く、すなわち、炭素１０００個あたり０．０１未満の長鎖分岐で置換されるポリマー主鎖を指す。
【０１０２】
長鎖分岐は、炭素−１３核磁気共鳴（１３Ｃ−ＮＭＲ）分光法を使用することにより決定され得、Ｒａｎｄａｌｌの方法（Ｒｅｖ．Ｍａｃｒｏｍｏｌ．Ｃｈｅｍ．Ｐｈｙｓ．，Ｃ２９（２＆３），１９８９，ｐ．２８５−２９７）を使用して定量化され得る。
【０１０３】
ポリオレフィンベースは、ＡＳＴＭ法Ｄ１２３８（２０１８年９月に有効になったバージョン）に従って、１９０℃および２．１６ｋｇで決定される場合、１〜１０００ｇ／１０分、あるいは１〜５００ｇ／１０分、あるいは１〜２０ｇ／１０分のメルトフローレート（ＭＦＲ）を有し得る。
【０１０４】
あるいは、ポリオレフィンベースは、ＡＳＴＭ法Ｎｏ．Ｄ７９２−９１（２０１８年９月に有効になったバージョン）に従って測定して、０．８５５ｇ／ｃｍ３〜０．９６０ｇ／ｃｍ３、あるいは０．９３０ｇ／ｃｍ３〜０．９５０ｇ／ｃｍ３の密度を有し得る。代替的な密度範囲は、０．８５８ｇ／ｃｍ３〜０．９３５ｇ／ｃｍ３、あるいは０．８６０ｇ／ｃｍ３〜０．９１０ｇ／ｃｍ３３、あるいは０．８８０ｇ／ｃｍ３〜０．９００ｇ／ｃｍ３である。他の代替的な範囲は、ポリオレフィンベースがエチレンとアルキルアクリレートとのコポリマーである場合、０．９３０ｇ／ｃｍ３〜０．９６０ｇ／ｃｍ３であり得、ポリオレフィンベースがポリエチレンである場合、０．９０ｇ／ｃｍ３〜０．９６０ｇ／ｃｍ３であり得、ポリオレフィンベースがプラストマーである場合、０．８６０〜０．９１０ｇ／ｃｍ３であり得、すなわち、エチレンとアルファオレフィンとのコポリマーは、製造業者により報告されるように５，０００〜５０，０００ダルトンの分子量を有する。
【０１０５】
好適なグラフト化モノマーには、エチレン性不飽和カルボン酸が限定されることなく含まれる。好ましいグラフト化モノマーには、アクリル酸、メタクリル酸、フマル酸、マレイン酸、ナジック酸（５−ノルボルネン−２，３−ジカルボン酸、またはより厳密には、ビシクロ［２．２．１］ヘプト−５−エン−２，３−ジカルボン酸）、シトラコン酸、およびイタコン酸が限定されることなく含まれる。例えば、無水物などのエチレン性不飽和カルボン酸の誘導体；金属塩；モノエステルおよびジエステルを含むエステル；アミド；イミドなども好適である。あるいは、グラフト化モノマーは、酸無水物であり得る。あるいは、グラフト化モノマーは、マレイン酸および無水マレイン酸からなる群から選択され得るか、あるいは無水マレイン酸であり得る。
【０１０６】
グラフトコポリマーは、グラフトコポリマーの総重量に基づいて、最大１０％、あるいは最大５％、あるいは最大１％〜４％のグラフト化モノマーの有限量を含み得る。ポリオレフィンベースの重量パーセントは、グラフト化モノマーの量に対して相補的であるため、グラフトコポリマー中のポリオレフィンベースとグラフト化モノマーとの重量パーセントの合計は、１００％である。
【０１０７】
グラフトコポリマーの好適なメルトフローレートは、ポリオレフィンベースに関して上に記載されるとおりであり、ポリオレフィンベースに関して上に記載されるように測定される。
【０１０８】
ポリエチレンおよびエチレンコポリマーは、当技術分野で知られている任意の好適なプロセスにより合成および官能化され得る。例えば、ポリエチレンから生成されたグラフトコポリマー、ならびに線状および実質的に線状のエチレンアルファ−オレフィンコポリマーは、米国特許第５，３４６，９６３号および同第６，５４５，０９１号に記載されているように生成され得る。エチレンと酢酸ビニルまたはアルキル（メタ）アクリレートとのコポリマーから生成されるグラフトコポリマーは、Ｉ−Ｈｗａ  Ｌｅｅに発行された米国特許第５，０５３，４５７号、ならびに米国特許第４，８６１，６７７号、同第４，８６１，６７６号、同第４，６７０，３４９号、同第４，３５８，５５７号、同第３，９３２，３３２号、同第４，５７６，９９５号、ならびに日本特許出願第５９０５５７４３号、同第５４０５７５８２号（Ｄｅｒｗｅｎｔ  Ａｂｓｔｒａｃｔ  Ｎｏ．４６２６０Ｂ／２５として報告される）、および同第５８２０３０４３号（Ｄｅｒｗｅｎｔ  Ａｂｓｔｒａｃｔ  Ｎｏ．８４−００８４８０／０２として報告される）を含むそこに引用された参考文献に記載されている。
【０１０９】
固体担体成分を作製するための方法の特定の実施形態では、（Ｂ）ポリマーおよび任意に他の成分、例えば、（Ｄ）相溶化剤（利用される場合）は、（Ｂ）ポリマーの融点温度範囲内の＋／−３０°Ｃで加熱される押し出し機の第１のゾーンに配置される。（Ｃ）オルガノポリシロキサンは、（Ｂ）ポリマーの融点温度よりも１０℃〜９０℃高い温度で加熱される押し出し機の第２のゾーンに配置される。（Ａ）充填剤は、存在する場合、押し出し機の第１、第２、または後続のゾーンのいずれかに配置される。上記のように、利用される温度は、典型的には、本組成物の成分の分解温度よりも低い。ある特定の実施形態では、押し出し機のダイでの加圧および形成の前に、混合物はストリッピングされて、空気、水分、または副産物が一切除去される。真空、加圧、および形成ゾーンも加熱され得、任意のゾーンおよびダイの温度を含む押し出し機により利用される温度は、（Ｂ）ポリマーまたは（Ａ）充填剤の分解温度を超えない。当業者に理解されるように、（Ｂ）ポリマーおよび（Ａ）充填剤の分解温度は、それらの選択に依存する。得られた押し出しストランドは、（Ｃ）オルガノポリシロキサンおよび少なくとも１つの他の成分を含む固体担体成分を形成するために、任意の便利な手段により粉砕され得る。
【０１１０】
特定の実施形態では、固体担体成分は、固体担体成分の総重量に基づいて、１〜７０、あるいは５〜５０、あるいは５〜３０、あるいは５〜２５、あるいは５〜２０、あるいは５〜１５、あるいは１０〜２０重量％の（Ｃ）オルガノポリシロキサンを含む。これらまたは他の実施形態では、固体担体成分は、固体担体成分の総重量に基づいて、０〜９０、あるいは５〜９０、あるいは１０〜９０、あるいは２０〜９０、あるいは３０〜９０、あるいは５０〜９０、あるいは６０〜９０、あるいは７０〜９０、あるいは５〜６０、あるいは５〜５０、あるいは５〜４０重量％の量の（Ｂ）ポリマーを含む。これらまたは他の実施形態では、固体担体成分は、固体担体成分の総重量に基づいて、０〜９５、あるいは０〜５０、あるいは５〜５０、あるいは５〜３０、あるいは５〜２５、あるいは５〜２０、あるいは５〜１５、あるいは１０〜２０、あるいは１〜９５、あるいは５〜９５、あるいは１０〜９０重量％の量の（Ｄ）相溶化剤を含む。これらまたは他の実施形態では、固体担体成分は、固体担体成分の総重量に基づいて、０〜７５、あるいは０．５〜５、あるいは０．５〜４０、あるいは０．５〜２５、あるいは０．５〜２０、０．５〜１５、あるいは０．５〜１０、あるいは０．５〜５、あるいは０．５〜２、あるいは１〜５０、あるいは１〜４０、あるいは１〜２５、あるいは１〜２０、あるいは１〜１５、あるいは１〜１０、あるいは１〜５、あるいは１〜２重量％の量の（Ａ）充填剤を含む。
【０１１１】
ある特定の実施形態では、成分（Ａ）充填剤、（Ｂ）ポリマー、および（Ｃ）オルガノポリシロキサンに加えて、上記のようなポリマー複合体物品を調製するための組成物は、（Ｄ）相溶化剤、（Ｅ）着色剤、（Ｆ）発泡剤、（Ｇ）ＵＶ安定剤、（Ｈ）酸化防止剤、（Ｉ）加工助剤、（Ｊ）防腐剤、（Ｋ）殺生物剤、（Ｌ）難燃剤、（Ｍ）衝撃性改良剤、（Ｎ）熱安定剤、および（Ｏ）潤滑剤から選択される１つ以上の添加剤をさらに含む。各添加剤は、利用される場合、本組成物の総重量に基づいて、０超〜３０重量パーセントの量で本組成物中に存在し得る。本組成物はまた、当技術分野で知られているように、他の任意の添加剤も含み得る。そのような添加剤は、例えば、Ｗａｌｋｅｒ，Ｂｅｎｊａｍｉｎ  Ｍ．，ａｎｄ  Ｃｈａｒｌｅｓ  Ｐ．Ｒａｄｅｒ，ｅｄｓ．Ｈａｎｄｂｏｏｋ  ｏｆ  ｔｈｅｒｍｏｐｌａｓｔｉｃ  ｅｌａｓｔｏｍｅｒｓ．Ｎｅｗ  Ｙｏｒｋ：Ｖａｎ  Ｎｏｓｔｒａｎｄ  Ｒｅｉｎｈｏｌｄ，１９７９、Ｍｕｒｐｈｙ，Ｊｏｈｎ，ｅｄ．Ａｄｄｉｔｉｖｅｓ  ｆｏｒ  ｐｌａｓｔｉｃｓ  ｈａｎｄｂｏｏｋ．Ｅｌｓｅｖｉｅｒ，２００１に記載されており、これらは参照により本明細書に組み込まれる。（Ｃ）オルガノポリシロキサンが固体担体成分中に存在する場合、これらの添加剤の１つ以上が固体担体成分中に含まれ得る。
【０１１２】
上記のポリマー複合体物品を調製するための組成物の成分を選択するとき、本明細書に記載のある特定の成分は２つ以上の機能を有することがあるため、成分のタイプ間に重複があり得る。例えば、ある特定の多糖類は、１つの複合体では充填剤として、異なる複合体ではポリマーとして有用であり得る。ある特定の官能性ポリマーは、成分（Ｄ）として有用であり得る。ある特定の微粒子は、充填剤および顔料として、さらには難燃剤としても有用であり得る、例えばカーボンブラック。本組成物のための成分を選択するとき、各実施形態のために選択された成分は、互いに異なる。
【０１１３】
本明細書で使用される場合、（Ｄ）相溶化剤は、（Ａ）充填剤上の（Ｂ）ポリマー（例えば、ポリビニル系ポリマー）の湿潤を改良するか、あるいは改善する任意の化合物または成分であり得る。そのような相溶化剤の例には、チタンアルコラート；リン酸、亜リン酸、ホスホン酸、およびケイ酸のエステル；脂肪族、芳香族、および脂環式酸の金属塩およびエステル；エチレン／アクリル酸またはメタクリル酸；アクリル酸またはメタクリル酸のエチレン／エステル；酢酸エチレン／酢酸ビニル樹脂、無水スチレン／無水マレイン酸樹脂、またはそれらのエステル；アクリロニトリルブタジエンスチレン樹脂、メタクリレート／ブタジエンスチレン樹脂（ＭＢＳ）、スチレンアクリロニトリル樹脂（ＳＡＮ）、ならびにブタジエンアクリロニトリルコポリマーが含まれる。あるいはまたはさらに、（Ｄ）相溶化剤は、シラン、例えば、炭化水素オキシシラン、例えば、アルコキシシラン、アルコキシシランとヒドロキシ官能性ポリオルガノシロキサンとの組み合わせ、アミノ官能性シラン、またはそれらの組み合わせを含み得る。シランは、アミノ、エポキシ、メルカプト、および／またはアクリレート基などの接着促進基であり得る任意の官能基を含み得る。官能基の組み合わせが利用され得、例えば、（Ｄ）相溶化剤は、エポキシ官能性アルコキシシランを含み得る。好適なエポキシ官能性有機基は、３−グリシドキシプロピルおよび（エポキシシクロヘキシル）エチルにより例示される。不飽和有機基は、３−メタクリルオキシプロピル、３−アクリルオキシプロピル、およびビニル、アリル、ヘキセニル、ウンデシレニルなどの不飽和の一価炭化水素基により例示される。好適なエポキシ官能性アルコキシシランの例には、３−グリシドキシプロピルトリムエトキシシラン、３−グリシドキシプロピルトリエトキシシラン、（エポキシシクロヘキシル）エチルジメトキシシラン、（エポキシシクロヘキシル）エチルジエトキシシラン、およびそれらの組み合わせが含まれる。好適な不飽和アルコキシシランの例には、ビニルトリメトキシシラン、アリルトリメトキシシラン、アリルトリエトキシシラン、ヘキセニルトリメトキシシラン、ウンデシレニルトリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン、およびそれらの組み合わせが含まれる。アミノ官能性アルコキシシランなどのアミノ官能性シランは、当技術分野で理解されているように、様々なアミノ基を有し得る。
【０１１４】
相溶化剤の他の例には、無水マレイン酸またはエステル、アクリル酸またはメタクリル酸またはエステル、酢酸ビニル、アクリロニトリル、およびスチレンなどの極性モノマーを含む反応性基を使用して、それぞれポリエチレンおよびポリプロピレンを変性することにより得られる変性ポリエチレンおよび変性ポリプロピレンが含まれる。好適な（Ｄ）相溶化剤の追加の具体例には、記載のポリエチレンが含まれるが、シラングラフト化ポリエチレン、または無水マレイン酸グラフト化ポリエチレンもしくは無水マレイン酸グラフト化ポリプロピレンなどのシランまたは無水マレイン酸でグラフト化されているポリエチレンは含まれない。無水マレイン酸グラフト化ポリエチレンは、マレイン化ポリエチレンと呼ばれることがある。好適な（Ｄ）相溶化剤の例は、例えば、ＰＣＴ公開第ＷＯ２００７／０７１７３２号および同第ＷＯ２０１５／０７６９７０号、ならびに米国特許第８，７２２，７７３号の第６欄に開示されており、それらの開示は、参照によりそれらの全体が本明細書に組み込まれる。あるいは、（Ｄ）相溶化剤は、別個の成分として、すなわち、ポリエチレンにグラフト化されていない無水マレイン酸を含み得る。利用される場合、本組成物は、典型的には、本組成物の総重量に基づいて、０超〜１０重量パーセントの量の（Ｄ）相溶化剤を含む。しかし、その選択に応じて、この範囲外であっても、様々な量の（Ｄ）相溶化剤が利用され得る。
【０１１５】
（Ｅ）着色剤は限定されず、例えば、顔料、染料であり得る。そのような（Ｅ）着色剤は、有機または無機、合成または天然であり得る。好適な顔料の非限定的な例には、カドミウムイエロー、カドミウムレッド、カドミウムグリーン、カドミウムオレンジ、カーボンブラック（バインブラック、ランプブラックを含む）、アイボリーブラック（骨炭）、クロムイエロー、クロムグリーン、コバルトバイオレット、コバルトブルー、セルリアンブルー、オーレオリン（コバルトイエロー）、藍銅鉱、ハンパープル、ハンブルー、エジプシャンブルー、孔雀石、花緑青、フタロシアニンブルーＢＮ、フタロシアニングリーンＧ、緑青、ビリジアン、血紅色、キャットモルタム、酸化レッド、レッドオーカー、ベネチアンレッド、紺青、イエローオーカー、生シエナ、バーントシエナ、生アンバー、バーントアンバー、クレムニッツホワイト、ナポリイエロー、バーミリオンチタンイエロー、チタンベージュ、チタンホワイト、チタンブラック、ウルトラマリン、ウルトラマリングリーンシェード、亜鉛ホワイト、亜鉛フェライト、アリザリン（合成または天然）、アリザリンクリムゾン（合成または天然）、雌黄色、コチニールレッド、ローズマダー、インディゴ、インディアンイエロー、チリアンパープル、キナクリドン、マゼンタ、フタログリーン、フタロブルー、ピグメントレッド１７０、またはそれらの組み合わせが含まれる。そのような（Ｅ）着色剤は、典型的には、ポリマー複合体物品の所望の美観に基づいて選択および利用される。
【０１１６】
利用される場合、（Ｆ）発泡剤は、物理的発泡剤、化学的発泡剤、または物理的発泡剤と化学的発泡剤との組み合わせであり得る。物理的発泡剤の具体例には、炭化水素および液体二酸化炭素を含むが、これらに限定されない様々なガスおよび揮発性液体が含まれる。例えば、物理的発泡剤は、プロパン、ブタン、イソブタン、またはそれらの組み合わせを含む、１〜５個、あるいは３〜５個の炭素原子を有する炭化水素；１〜５個の炭素原子を有するヒドロフルオロカーボン、例えば、１，１，１，２−テトラフルオロエタンまたは１，１−ジフルオロエタン；ジメチルエーテルなどを含む。化学的発泡材の具体例には、反応または分解時、例えば、特定の温度で反応または分解時に気体を放出する有機または無機化合物が含まれる。（Ｆ）発泡剤は、閉鎖セルおよび／または開放セル構造を調製するために利用され得る。（Ｆ）発泡剤は、代替的に発泡剤と呼ばれ得る。
【０１１７】
利用される場合、（Ｇ）ＵＶ安定剤は、当技術分野で知られている任意のＵＶ安定剤であり得る。その具体例には、フェノール、２−（２Ｈ−ベンゾトリアゾール−２−イル）−６−ドデシル−４−メチル−、分岐状、および線状（ＴＩＮＵＶＩＮ（商標）５７１）が含まれる。好適な（Ｇ）ＵＶ安定剤の追加の例には、ビス（ｌ，２，２，６，６−ペンタメチル−４−ピペリジル）セバケート、メチルｌ，２，２，６，６−ペンタメチル−４−ピペリジル／セバケート、およびそれらの組み合わせ（ＴＩＮＵＶＩＮ（商標）２７２）が含まれる。これらおよびＴＩＮＵＶＩＮ（登録商標）７６５などの他のＴＩＮＵＶＩＮ（商標）添加剤は、ＢＡＳＦから市販されている。他のＵＶおよび光安定剤は市販されており、ＣｈｅｍｔｕｒａのＬｏｗＬｉｔｅ、ＰｏｌｙＯｎｅのＯｎＣａｐ、およびＤｅｌａｗａｒｅ，Ｕ．Ｓ．Ａ．のＥ．Ｉ．ｄｕ  Ｐｏｎｔ  ｄｅ  Ｎｅｍｏｕｒｓ  ａｎｄ  ＣｏｍｐａｎｙのＬｉｇｈｔ  Ｓｔａｂｉｌｉｚｅｒ２１０により例示される。オリゴマー抗酸化安定剤（具体的には、ヒンダードアミン光安定剤（ＨＡＬＳ））の例は、ＢＡＳＦ  ＴＩＮＵＶＩＮ（商標）６２２であり、これは、４−ヒドロキシ−２，２，６，６−テトラメチル−ｌ−ピペリジンエタノールと共重合したブタン二酸のジメチルエステルである。
【０１１８】
利用される場合、（Ｈ）抗酸化剤は、当技術分野で知られている任意の抗酸化剤であり得る。その具体例には、フェノール系酸化防止剤、およびフェノール系酸化防止剤と安定剤との組み合わせが含まれる。フェノール系酸化防止剤は、完全に立体障害のあるフェノールおよび部分的に障害のあるフェノール；テトラメチル−ピペリジン誘導体などの立体障害アミンを含む。好適なフェノール系酸化防止剤には、ビタミンＥ、およびＢＡＳＦからのＩＲＧＡＮＯＸ（商標）１０１０が含まれる。ＩＲＧＡＮＯＸ（商標）１０１０は、ペンタエリスリトールテトラキス（３−（３，５−ジ−ｔ−ブチル−４−ヒドロキシフェニル）プロピオネート）を含む。抗酸化剤の追加の例は、アセチルシステイン、アルブチン、アスコルビン酸、アスコルビン酸ポリペプチド、ジパルミチン酸アスコルビル、メチルシラノールペクチン酸アスコルビル、パルミチン酸アスコルビル、ステアリン酸アスコルビル、ＢＨＡ、ｐ−ヒドロキシアニソール、ＢＨＴ、ｔ−ブチルヒドロキノン、コーヒー酸、ツバキ科の油、アスコルビン酸キトサン、グリコール酸キトサン、サリチル酸キトサン、クロロゲン酸、システイン、システインＨＣＩ、デシルメルカプトメチルイミダゾール、エリソルビン酸、ジアミルヒドロキノン、ジ−ｔ−ブチルヒドロキノン、チオジプロピオン酸ジセチル、ジシクロペンタジエン／ｔ−ブチルクレゾールコポリマー、トリオレイン酸ジガロイル、チオジプロピオン酸ジラウリル、チオジプロピオン酸ジミリスチル、ジオレイルトコフェリルメチルシラノール、イソクエルシトリン、ジオスミン、アスコルビル硫酸二ナトリウム、ルチニル二硫酸二ナトリウム、チオジプロピオン酸ジステアリル、チオジプロピオン酸ジトリデシル、没食子酸ドデシル、フェルラ酸エチル、フェルラ酸、ヒドロキノン、ヒドロキシルアミンＨＣＩ、硫酸ヒドロキシルアミン、チオグリコール酸イソオクチル、コウジ酸、マデカッソシド、アスコルビン酸マグネシウム、アスコルビルリン酸マグネシウム、メラトニン、ルチニルコハク酸メトキシ−ＰＥＧ−７（ｍｅｔｈｏｘｙ−ＰＥＧ−７  ｒｕｔｉｎｙｌ  ｓｕｃｃｉｎａｔｅ）、メチレンジ−ｔ−ブチルクレゾール、アスコルビン酸メチルシラノール、ノルジヒドログアヤレト酸、没食子塩オクチル、フェニルチオグリコール酸、フロログルシノール、アスコルビルトコフェリルリン酸カリウム、チオジグリコールアミド、亜硫酸カリウム、没食子酸プロピル、ロスマリン酸、ルチン、アスコルビン酸ナトリウム、アスコルビル／コレステリルリン酸ナトリウム、重亜硫酸ナトリウム、エリトルビン酸ナトリウム、メタ二硫化ナトリウム、亜硫酸ナトリウム、チオグリコール酸ナトリウム、ソルビチル（ｓｏｒｂｉｔｙｌ）フルフラール、ティーツリー（メラルーカアルテルニフォーリア）油、酢酸トコフェリル、アスコルビン酸テトラヘキシルデシル、テトラヒドロジフェルロイルメタン、リノール酸／オレイン酸トコフェリル、チオジグリコール、コハク酸トコフェリル、チオジグリコール酸、チオグリコール酸、チオ乳酸、チオサリチル酸、チオタウリン、レチノール、トコフェレス−５、トコフェレス１０、トコフェレス−１２、トコフェレス−１８、トコフェレス−５０、トコフェ��ール、トコフェルソラン、リノール酸トコフェリル、ニコチン酸トコフェリル、トコキノン、ｏ−トリルビグアニド、トリス（ノニルフェニル）ホスファイト、ユビキノン、ジブチルジチオカルバミン酸亜鉛、およびそれらの混合物である。
【０１１９】
利用される場合、（Ｉ）加工助剤は（Ｃ）オルガノポリシロキサンとは異なるが、（Ｉ）加工助剤は（Ｃ）オルガノポリシロキサンについて上記のオルガノポリシロキサンのいずれかであり得る。（Ｉ）加工助剤はまた、Ｅｌｍｅｒ  Ｄ．Ｌｉｐｐ  Ａｐｐｌ．Ｓｐｅｃｔｒｏｓｃ．に記載の手順に従ってＦＴＩＲにより測定して、非官能性オルガノポリシロキサンの重量に基づいて、０〜５０ｐｐｍ未満のＯＨ、あるいは検出不可能な量のＯＨを含有し得る非官能性オルガノポリシロキサン、例えばポリジメチルシロキサンも含み得る。１９９１，４５，４７７．（Ｉ）加工助剤は、内部加工助剤、外部加工助剤、またはそれらの組み合わせであり得る。（Ｉ）加工助剤は、固体、例えば粉末固体、油などの液体などであってよい。（Ｉ）加工助剤の具体例には、エチレンビスステアラミド（ＥＢＳ）、炭化水素ワックス、脂肪酸およびそれらのエステル、塩素化パラフィンワックス、ステアリン酸金属塩などが含まれる。（Ｃ）オルガノポリシロキサンは、（Ｉ）加工助剤が利用される場合、（Ｃ）オルガノポリシロキサンおよび（Ｉ）加工助剤が共に利用されるように、（Ｉ）加工助剤と組み合わされ得る。組み合わされる場合、（Ｉ）加工助剤は、それらの各々の選択および相対量に応じて、（Ｃ）オルガノポリシロキサンの担体ビヒクルとしても機能し得る。
【０１２０】
（Ｊ）防腐剤の例には、パラベン誘導体、ヒダントイン誘導体、クロルヘキシジンおよびその誘導体、イミダゾリジニル尿素、フェノキシエタノール、銀誘導体、サリチレート誘導体、トリクロサン、シクロピロックスオラミン、ヘキサミジン、オキシキノリンおよびその誘導体、ＰＶＰヨード、亜鉛塩および誘導体、例えば、亜鉛ピリチオン、ならびにそれらの混合物が含まれる。
【０１２１】
（Ｋ）殺生物剤は、（Ｋ１）殺真菌剤、（Ｋ２）除草剤、（Ｋ３）殺虫剤、（Ｋ４）抗菌剤、またはそれらの組み合わせにより例示され得る。
【０１２２】
（Ｋ１）殺真菌剤の具体例には、Ｎ−置換ベンズイミダゾールカルバメート、ベンズイミダゾリルカルバメート、例えば、メチル２−ベンズイミダゾリルカルバメート、エチル２−ベンズイミダゾリルカルバメート、イソプロピル２−ベンズイミダゾリルカルバメート、メチルＮ−｛２−［ｌ−（Ｎ，Ｎ−ジメチルカルバモイル）ベンズイミダゾリル］｝カルバメート、メチルＮ−｛２−［ｌ−（Ｎ，Ｎ−ジメチルカルバモイル）−６−メチルベンズイミダゾリル］｝カルバメート、メチルＮ−｛２−［ｌ−（Ｎ，Ｎ−ジメチルカルバモイル）−５−メチルベンズイミダゾリル］｝カルバメート、メチルＮ−｛２−［ｌ−（Ｎ−メチルカルバモイル）ベンズイミダゾリル］｝カルバメート、メチルＮ−｛２−［ｌ−（Ｎ−メチルカルバモイル）−６−メチルベンズイミダゾリル］｝カルバメート、メチルＮ−｛２−［ｌ−（Ｎ−メチルカルバモイル）−５−メチルベンズイミダゾリル］｝カルバメート、エチルＮ−｛２−［ｌ−（Ｎ，Ｎ−ジメチルカルバモイル）ベンズイミダゾリル］｝カルバメート、エチルＮ−｛２−［２−（Ｎ−メチルカルバモイル）ベンズイミダゾリル］｝カルバメート、エチルＮ−｛２−［ｌ−（Ｎ，Ｎ−ジメチルカルバモイル）−６−メチルベンズイミダゾリル］｝カルバメート、エチルＮ−｛２−［ｌ−（Ｎ−メチルカルバモイル）−６−メチルベンズイミダゾリル］｝カルバメート、イソプロピルＮ−｛２−［ｌ−（Ｎ，Ｎ−ジメチルカルバモイル）ベンズイミダゾリル］｝カルバメート、イソプロピルＮ−｛２−［ｌ−（Ｎ−メチルカルバモイル）ベンズイミダゾリル］｝カルバメート、メチルＮ−｛２−［ｌ−（Ｎ−プロピルカルバモイル）ベンズイミダゾリル］｝カルバメート、メチルＮ−｛２−［ｌ−（Ｎ−ブチルカルバモイル）ベンズイミダゾリル］｝カルバメート、メトキシエチルＮ−｛２−［ｌ−（Ｎ−プロピルカルバモイル）ベンズイミダゾリル］｝カルバメート、メトキシエチルＮ−｛２−［ｌ−（Ｎ−ブチルカルバモイル）ベンズイミダゾリル］｝カルバメート、エトキシエチルＮ−｛２−［ｌ−（Ｎ−プロピルカルバモイル）ベンズイミダゾリル］｝カルバメート、エトキシエチルＮ−｛２−［ｌ−（Ｎ−ブチルカルバモイル）ベンズイミダゾリル］｝カルバメート、メチルＮ−｛１−（Ｎ，Ｎ−ジメチルカルバモイルオキシ）ベンズイミダゾリル］｝カルバメート、メチルＮ−｛２−［Ｎ−メチルカルバモイルオキシ）ベンズイミダゾリル］｝カルバメート、メチルＮ−｛２−［ｌ−（Ｎ−ブチルカルバモイルオキシ）ベンゾイミダゾリル｝カルバメート、エトキシエチルＮ−｛２−［ｌ−（Ｎ−プロピルカルバモイル）ベンズイミダゾリル］｝カルバメート、エトキシエチルＮ−｛２−［ｌ−（Ｎ−ブチルカルバモイルオキシ）ベンゾイミダゾリル］｝カルバメート、メチルＮ−｛２−［ｌ−（Ｎ，Ｎ−ジメチルカルバモイル）−６−クロロベンズイミダゾリル］｝カルバメート、およびメチルＮ−｛２−［ｌ−（Ｎ，Ｎ−ジメチルカルバモイル）−６−ニトロベンズイミダゾリル］｝カルバメート；１０，１０’−オキシビスフェノキサルシン（商品名、Ｖｉｎｙｚｅｎｅ（ＯＢ  ＰＡ）を有する）、ジ−ヨードメチル−パラ−トリルスルホン、ベンゾチオフェン−２−���クロヘキシルカルボキサミド−Ｓ，Ｓ−ジオキシド、Ｎ−（フルオロジクロリドメチルチオ（ｆｌｕｏｒｄｉｃｈｌｏｒｉｄｅｍｅｔｈｙｌｔｈｉｏ））フタルイミド（商品名、Ｆｌｕｏｒ−Ｆｏｌｐｅｒ、およびＰｒｅｖｅｎｔｏｌ  Ａ３を有する）；メチル−ベンゾイミダゾール−２−イルカルバメート（商品名、Ｃａｒｂｅｎｄａｚｉｍ、およびＰｒｅｖｅｎｔｏｌ  ＢＣＭを有する）、亜鉛−ビス（２−ピリジルチオ−ｌ−オキシド）（亜鉛ピリチオン）２−（４−チアゾリル）−ベンズイミダゾール、Ｎ−フェニル−ヨードプロパルギルカルバメート、Ｎ−オクチル−４−イソチアゾリン−３−オン、４，５−ジクロリド−２−ｎ−オクチル−４−イソチアゾリン−３−オン、Ｎ−ブチル−ｌ，２−ベンズイソチアゾリン−３−オン、ならびに／またはトリアゾリル化合物、例えば、銀を含有するゼオライトと組み合わせたテブコナゾールが含まれる。
【０１２３】
（Ｋ２）除草剤の具体例には、アリドクロルＮ，Ｎ−ジアリル−２−クロロアセトアミドなどのアミド除草剤；ＣＤＥＡ２−クロロ−Ｎ，Ｎ−ジエチルアセトアミド；エトニプロミド（ＲＳ）−２−［５−（２，４−ジクロロフェノキシ）−２−ニトロフェノキシ］−Ｎ−エチルプロピオンアミド；シスアニリドシス−２，５−ジメチルピロリジン−ｌ−カルボキシアニリドなどのアニリド除草剤；フルフェナセット４’−フルオロ−Ｎ−イソプロピル−２−［５−（トリフルオロメチル）−ｌ，３，４−チアジアゾール−２−イルオキシジャセトアニリド；ナプロアニリド（ＲＳ）−α−２−ナフトキシプロピオンアニリド；ベンゾイルプロップＮ−ベンゾイル−Ｎ−（３，４−ジクロロフェニル）−ＤＬ−アラニンなどのアリールアラニン除草剤；フラムプロップ−Ｍ  Ｎ−ベンゾイル−Ｎ−（３−クロロ−４−フルオロフェニル）−Ｄ−アラニン；ブタクロルＮ−ブトキシメチル−２−クロロ−２’，６’−ジエチルアセトアニリドなどのクロロアセトアニリド除草剤；メタザクロル２−クロロ−Ｎ−（ピラゾール−１−イルメチル）アセト−２’，６’−キシリジド；プリナクロル（ＲＳ）−２−クロロ−Ｎ−（ｌ−メチルプロプ−２−イニル）アセトアニリド；クロランスラム３−クロロ−２−（５−エトキシ−７−フルオロ［ｌ，２，４］トリアゾロ［ｌ，５−α］ピリミジン−２−イルスルホンアミド）安息香酸などのスルホンアニリド除草剤；メトスラム２’，６’−ジクロロ−５，７−ジメトキシ−３’−メチル［ｌ，２，４］トリアゾロ［ｌ，５−α］ピリミジン−２−スルホンアニリド；ビラナホス４−［ヒドロキシ（メチル）ホスフィノイル］−Ｌ−ホモアラニル−Ｌ−アラニル−Ｌ−アラニンなどの抗生物質除草剤；クロラムベン３−アミノ−２，５−ジクロロ安息香酸などの安息香酸除草剤；２，３，６−ＴＢＡ２，３，６−トリクロロ安息香酸；ビスピリバク２，６−ビス（４，６−ジメトキシピリミジン−２−イルオキシ）安息香酸などのピリミジニルオキシ安息香酸除草剤；ピリチオバク２−クロロ−６−（４，６−ジメトキシピリミジン−２−イルチオ）安息香酸などのピリミジニルチオ安息香酸除草剤；クロルタールテトラクロロテレフタル酸などのフタル酸除草剤；アミノピラリド４−アミノ−３，６−ジクロロピリジン−２−カルボン酸などのピコリン酸除草剤；キンクロラック３，７−ジクロロキノリン−８−カルボン酸などのキノリンカルボン酸除草剤；ＣＭＡカルシウムビス（水素化メチルアルソネート）などのヒ素除草剤；ＭＡＭＡアンモニウム水素メチルアルソネート；亜ヒ酸ナトリウム；メソトリオン２−（４−メシル−２−ニトロベンゾイル）シクロヘキサン−ｌ，３−ジオンなどのベンゾイルシクロヘキサンジオン除草剤；ベンフレセート２，３−ジヒドロ−３，３−ジメチルベンゾフラン−５−イルエタンスルホナートなどのベンゾフラニルアルキルスルホナート除草剤；カルボキサゾールメチル５−イエ／ｔ−ブチル−ｌ，２−オキサゾール−３−イルカルバメートなどのカルバメート除草剤；フェナスラムメチル４−［２−（４−クロロ−オトリルオキシ）アセトアミド］フェニルスルホニルカルバメート；ＢＣＰＣ（ＲＳ）−ｓｅｃ−ブチル３−クロロカルバニレ���トなどのカルバニレート除草剤；デスメディファムエチル３−フェニルカルバモイルオキシフェニルカルバメート；スウェップメチル３，４−ジクロロカルバニレート；ブトロキシジム（ＲＳ）−（ＥＺ）−５−（３−ブチリル−２，４，６−トリメチルフェニル）−２−（ｌ−エトキシイミノプロピル）−３−ヒドロキシシクロヘキサ−２−エン−ｌ−オンなどのシクロヘキセンオキシム除草剤；テプラロキシジム（ＲＳ）−（ＥＺ）−２−｛ｌ−［（２Ｅ）−３−クロロアリルオキシイミノ］プロピル｝−３−ヒドロキシ−５−ペルヒドロピラン−４−イルシクロヘキサ−２−エン−ｌ−オン；イソキサクロルトール４−クロロ−２−メシルフェニル５−シクロプロピル−ｌ，２−オキサゾール−４−イルケトンなどのシクロプロピルイソキサゾール除草剤；フルメジン２−メチル−４−（α，α，α−トリフルオロ−ｍ−トリル）−１，２，４−オキサジアジナン−３，５−ジオンなどのジカルボキシイミド除草剤；エタンフルラリンＮ−エチル−α，α，α−トリフルオロ−Ｎ−（２−メチルアリル）−２，６−ジニトロ−ｐ−トルイジンなどのジニトロアニリン除草剤；プロジアミン５−ジプロピルアミノ−α，α，α−トリフルオロ−４，６−ジニトロ−ｏ−トルイジン；ジノプロップ４，６−ジニトロ−ｏ−シメン−３−オールなどのジニトロフェノール除草剤；エチノフェンａ−エトキシ−４，６−ジニトロ−ｏ−クレゾール；エトキシフェンＯ−［２−クロロ−５−（２−クロロ−α，α，α−トリフルオロ−ｐ−トリルオキシ）ベンゾイル］−Ｌ−乳酸などのジフェニルエーテル除草剤；アクロニフェン２−クロロ−６−ニトロ−３−フェノキシアニリンなどのニトロフェニルエーテル除草剤；ニトロフェン２，４−ジクロロフェニル４−ニトロフェニルエーテル；ダゾメット３，５−ジメチル−ｌ，３，５−チアジアジナン−２−チオンなどのジチオカルバメート系除草剤；ダラポン２，２−ジクロロプロピオン酸などのハロゲン化脂肪族除草剤；クロロ酢酸；イマザピル（ＲＳ）−２−（４−イソプロピル−４−メチル−５−オキソ−２−イミダゾリン−２−イル）ニコチン酸などのイミダゾリノン除草剤；四ホウ酸二ナトリウム十水和物などの無機除草剤；アジ化ナトリウム；クロロキシニル３，５−ジクロロ−４−ヒドロキシベンゾニトリルなどのニトリル除草剤；イオキシニル４−ヒドロキシ−３，５−ジ−ヨードベンゾニトリル；アニロフォスＳ−４−クロロ−Ｎ−イソプロピルカルバニロイルメチルＯ，Ｏ−ジメチルホスホロジチオエートなどの有機リン酸除草剤；グルホシネート４−［ヒドロキシ（メチル）ホスフィノイル］−ＤＬ−ホモアラニン；クロメプロップ（ＲＳ）−２−（２，４−ジクロロ−ｍ−トリルオキシ）プロピオンアニリドなどのフェノキシ除草剤；フェンテラコール２−（２，４，５−トリクロロフェノキシ）エタノール；ＭＣＰＡ（４−クロロ−２−メチルフェノキシ）酢酸などのフェノキシ酢酸除草剤；ＭＣＰＢ  ４−（４−クロロ−ｏ−トリルオキシ）酪酸などのフェノキシ酪酸除草剤；フェノプロプ（ＲＳ）−２−（２，４，５−トリクロロフェノキシ）プロピオン酸などのフェノキシプロピオン酸除草剤；イソキサピリフォップ（（ＲｌＳ’）−２−［２−［４−（３��５−ジクロロ−２−ピリジルオキシ）フェノキシ］プロピオニル］イソキサゾリジンなどのアリールオキシフェノキシプロピオン酸除草剤；ジニトラミンＮｌ，Ｎｌ−ジエチル−２，６−ジニトロ−４−トリフルオロメチル−ｍ−フェニレンジアミンなどのフェニレンジアミン除草剤、ピラゾキシフェン２−［４−（２，４−ジクロロベンゾイル）−ｌ，３−ジメチルピラゾール−５−イルオキシ］アセトフェノンなどのピラゾリルオキシアセトフェノン除草剤；ピラフルフェン２−クロロ−５−（４−クロロ−５−ジフルオロメトキシ−ｌ−メチルピラゾール−３−イル）−４−フルオロフェノキシ酢酸などのピラゾリルフェニル除草剤；ピリダフォール６−クロロ−３−フェニルピリダジン−４−オールなどのピリダジン除草剤；クロリダゾン５−アミノ−４−クロロ−２−フェニルピリダジン−３（２Ｈ）−オンなどのピリダジノン除草剤；オキサピラゾン５−ブロモ−ｌ，６−ジヒドロ−６−オキソ−ｌ−フェニルピリダジン−４−イルオキサミン酸；フルオロキシピル４−アミノ−３，５−ジクロロ−６−フルオロ−２−ピリジルオキシ酢酸などのピリジン除草剤；チアゾピルメチル２−ジフルオロメチル−５−（４，５−ジヒドロ−ｌ，３−チアゾール−２−イル）−４−イソブチル−６−トリフルオロメチルニコチネート；イプリミダム６−クロロ−Ｎ４−イソプロピルピリミジン−２，４−ジアミンなどのピリミジンジアミン除草剤；ジエタムクアット１，１’−ビス（ジエチルカルバモイルメチル）−４，４’−ビピリジニウムなどの四級アンモニウム除草剤；パラコートｌ，−ジメチル−４，４’−ビピリジニウム；シクロエートＳ−エチルシクロヘキシル（エチル）チオカルバメートなどのチオカルバメート除草剤；チオカルバジルＳ−ベンジルジ−ｓｅｃ−ブチルチオカルバメート；ＥＸＤ  Ｏ，Ｏ−ジエチルジチオビス（チオホルメート）などのチオカーボネート除草剤；メチウロンｌ，ｌ−ジメチル−３−ｍ−トリル−２−チオ尿素などのチオ尿素除草剤；トリアジフラム（Ｒ５’）−Ｎ−［２−（３，５−ジメチルフェノキシ）−ｌ−メチルエチル］−６−（ｌ−フルオロ−ｌ−メチルエチル）−ｌ，３，５−トリアジン−２，４−ジアミンなどのトリアジン除草剤；シプラジン６−クロロ−Ｎ２−シクロプロピル−Ｎ４−イソプロピル−１，３，５−トリアジン−２，４−ジアミンなどのクロロトリアジン除草剤；プロパジン６−クロロ−Ｎ２，Ｎ４−ジ−イソプロピル−ｌ，３，５−トリアジン−２，４−ジアミン；プロメトンＮ２，Ｎ４−ジ−イソプロピル−６−メトキシ−ｌ，３，５−トリアジン−２，４−ジアミンなどのメトキシトリアジン除草剤；シアナトリン２−（４−エチルアミノ−６−メチルチオ−１，３，５−トリアジン−２−イルアミノ）−２−メチルプロピオニトリルなどのメチルチオトリアジン除草剤；ヘキサジノン３−シクロヘキシル−６−ジメチルアミノ−ｌ−メチル−ｌ，３，５−トリアジン−２，４（ｌＨ，３Ｈ）−ジオンなどのトリアジノン除草剤；エプロナズＮ−エチル−Ｎ−プロピル−３−プロピルスルホニル−ｌＨ−ｌ，２，４−トリアゾール−ｌ−カルボキサミドなどのトリアゾール除草剤；カルフェントラゾン（ＲＳ）−２−クロロ−３−｛２−クロロ−５−［４−（ジフルオロメチル）−４，５−ジヒドロ−３−メチル−５−オキソ−ｌＨ−ｌ，２，４−トリアゾール−ｌ−イル］−４−フルオロフェニル｝プロピオン酸などのトリアゾロン除草剤；フロラスラム２’，６’，８−トリフルオロ−５−メトキシ［ｌ，２，４］トリアゾロ［ｌ，５−ｃ］ピリミジン−２−スルホンアニリドなどのトリアゾロピリミジン除草剤；フルプロパシルイソプロピル２−クロロ−５−（ｌ，２，３，６−テトラヒドロ−３−メチル−２，６−ジオキソ−４−トリフルオロメチルピリミジン−ｌ−イル）ベンゾエートなどのウラシル除草剤；サイクロン３−シクロ−オクチル−ｌ，ｌ−ジメチル尿素などの尿素除草剤；モニソウロンｌ−（５−イエリ（ｉｅｒｉ）−ブチル−ｌ，２−オキサゾール−３−イル）−３−メチル尿素；クロロクスロン３−［４−（４−クロロフェノキシ）フェニル］−ｌ，ｌ−ジメチル尿素などのフェニル尿素除草剤；シズロンｌ−（２−メチルシクロヘキシル）−３−フェニル尿素；フラザスルフロンｌ−（４，６−ジメトキシピリミジン−２−イル）−３−（３−トリフルオロメチル−２−ピリジルスルホニル）尿素などのピリミジニルスルホニル尿素除草剤；ピラゾスルフロン５−［（４，６−ジメトキシピリミジン−２−イルカルバモイル）スルファモイル］−１−メチルピラゾール−４−カルボン酸；チフェンスルフロン３−（４−メトキシ−６−メチル−ｌ，３，５−トリアジン−２−イルカルバモイルスルファモイル）チオフェン−２−カルボン酸などのトリアジニルスルホニル尿素除草剤；テブチウロンｌ−（５−ｔｅｒｔ−ブチル−ｌ，３，４−チアジアゾール−２−イル）−ｌ，３−ジメチル尿素などのチアジアゾリル尿素除草剤；ならびに／またはクロルフェナク（２，３，６−トリクロロフェニル）酢酸などの未分類の除草剤；メタゾール２−（３，４−ジクロロフェニル）−４−メチル−ｌ，２，４−オキサジアゾリジン−３，５−ジオン；トリタック（ＲＳ）−ｌ−（２，３，６−トリクロロベンジルオキシ）プロパン−２−オール；２，４−Ｄ、クロリムロン、およびフェノキサプロップ；ならびにこれらの組み合わせが含まれる。ｆ．
【０１２４】
（Ｋ３）殺虫剤の具体例には、アトラジン、ダイアジノン、およびクロルピリホスが含まれる。（Ｋ３）殺虫剤には、Ν，Ν−ジエチル−メタ−トルアミド、およびピレスロイド、例えば、ピレスリンなどの防虫剤が含まれる。
【０１２５】
Ｍｉｄｌａｎｄ，Ｍｉｃｈｉｇａｎ，Ｕ．Ｓ．Ａ．のＤｏｗ  Ｓｉｌｉｃｏｎｅｓ  Ｃｏｒｐｏｒａｔｉｏｎから市販されているＢＩＯＳＩＬ（商標）５７００抗菌剤およびＢＩＯＳＩＬ（商標）５７７２抗菌剤などの好適な（Ｋ４）抗菌剤が市販されている。
【０１２６】
あるいは、（Ｋ）殺生物剤は、ホウ素含有材料、例えば、無水ホウ酸、ホウ砂、または八ホウ酸二ナトリウム四水和物を含み得、殺虫剤、殺真菌剤、および／または難燃剤として機能し得る。
【０１２７】
好適な（Ｌ）難燃剤の具体例には、カーボンブラック、水酸化アルミニウム水和物、水酸化マグネシウム、ハイドロマグネサイト、およびシリケート、例えば、珪灰石、白金、および白金化合物が含まれる。あるいは、（Ｌ）難燃剤は、利用される場合、ハロゲン系難燃剤、例えば、デカブロモジフェニルオキシド、オクタブロモジフェニルオキシド、ヘキサブロモシクロドデカン、デカブロモビフェニルオキシド、ジフェニオキシベンゼン、エチレンビス−テトラブロモフタルイミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジボモフェニレンオキシド、トリブロモフェニルアリルエーテル、ビス−ジブロモプロピルエーテル、無水テトラブロモフタル酸、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、ブロム化ポリスチレン、テトラデカブロモジフェノキシベンゼン、トリフルオロプロペン、およびＰＶＣから選択され得る。あるいは、（Ｌ）難燃剤は、利用される場合、リン系難燃剤、例えば、（２，３−ジブロモプロピル）−ホスフェート、リン、環状ホスフェート、トリアリールホスフェート、ビス−メラミニウムペンテート、ペンタエリスリトール二環式ホスフェート、ジメチルメチルホスフェート、ホスフィンオキシドジオール、トリフェニルホスフェート、トリス−（２−クロロエチル）ホスフェート、リン酸エステル、例えば、トリクレイル、トリキシレニル、イソデシルジフェニル、エチルヘキシルジフェニル、様々なアミンのリン酸塩、例えば、リン酸アンモニウム、トリオクチル、トリブチル、またはトリス−ブトキシエチルリン酸エステルから選択され得る。他の好適な（Ｌ）難燃剤は、テトラエチル鉛、鉄ペンタカルボニル、マンガンメチルシクロペンタジエニルトリカルボニル、メラミン、ならびに誘導体、例えば、メラミン塩、グアニジン、ジシアンジアミド、スルファミン酸アンモニウム、アルミナ三水和物、および水酸化マグネシウムアルミナ三水和物などのテトラアルキル鉛化合物を含み得る。
【０１２８】
好適な（Ｍ）衝撃性改良剤の具体例には、アクリロニトリルブタジエンスチレン（ＡＢＳ）、アクリロニトリルスチレンアクリレート（ＡＳＡ）、メタクリレートブタジエンスチレン（ＭＢＳ）、ポリ（スチレン−ブタジエン−スチレン）（ＳＢＳ）、スチレンエチレンブチレンスチレン（ＳＥＢＳ）、ポリ（スチレン−イソプレン−スチレン）（ＳＩＳ）、無水マレイン酸変性ＳＥＢＳ、アクリル、ポリアクリレート、塩素化ポリエチレンエラストマー（ＣＰＥ）、エチレンプロピレンジエンモノマー、無水マレイン酸変性ＥＰＤＭ、スチレンアクリロニトリル変性ＥＰＤＭ、ＤＭＡ変性エチレン−アクリレートコポリマー、アイオノマー、熱可塑性エラストマーおよびプラストマー、変性ポリオレフィン（反応性および／または非反応性）、シリコーンゴム（例えば、アルキルおよび／またはアリールシリコーンゴム）、ならびにそれらの組み合わせが含まれる。
【０１２９】
好適な（Ｎ）熱安定剤の具体例には、例えば、カドミウムまたは亜鉛塩（混合金属安定剤）と組み合わせたアルカリ土類金属塩（例えば、カルシウムまたはバリウム金属塩）などの金属系の塩およびそれらのブレンド；ランタンに基づくものなどの希土類金属塩；塩基性および中性の鉛塩；ならびにそれらの混合物が含まれる。（Ｎ）熱安定剤はまた、金属を含まない有機化合物（例えば、尿素またはチオ尿素）；メルカプチド、カルボン酸スズ、マレイン酸オクチルスズなどの有機スズ化合物；およびそれらの混合物のうちの１つ以上から選択され得る。好適な（Ｎ）熱安定剤の他の例には、エポキシ化エステルなどの共安定剤；メラミン誘導体；およびそれらの混合物が含まれる。
【０１３０】
好適な（Ｏ）潤滑剤の具体例には、例えば、天然パラフィン；合成パラフィンワックス；架橋パラフィンワックス；低分子量ポリエチレンおよび酸化ポリエチレンワックス；ステアリン酸、ヒドロキシステアリン酸、ラウリン酸などの脂肪酸；ステアリン酸カルシウムなどの脂肪酸金属塩；セチルアルコールおよびステアリルアルコールなどの脂肪族アルコール；ステアリン酸ブチルなどの脂肪酸の低アルコールエステル；ステアリン酸グリセロール、（ジ）オレイン酸グリセロール、ステアリン酸ペンタエリスリトール、ステアリルフタル酸セチル、およびステアリン酸アジピン酸ペンタエリスリトール（ｐｅｎｔａｅｒｙｔｈｒｉｔｏｌ  ａｄｉｐａｔｅ  ｓｔｅａｒａｔｅ）などの高級脂肪酸の高級アルコールエステル；ヒマシ硬化油；ならびにそれらの混合物が含まれる。
【０１３１】
ポリマー複合体物品を調製するための方法も提供される。本方法は、本組成物からポリマー複合体物品を調製することを含む。ある特定の実施形態では、本方法は、本組成物を形成することをさらに含む。本組成物は、少なくとも成分（Ａ）充填剤、（Ｂ）ポリマー、および（Ｃ）オルガノポリシロキサンを、本組成物中に存在するいずれか任意の成分と共に組み合わせることにより形成される。（Ｃ）オルガノポリシロキサンが固体担体成分の形態である場合、本方法は、（Ａ）充填剤、（Ｂ）ポリマー、および（Ｃ）オルガノポリシロキサンを含む固体担体成分を組み合わせることを含む。
【０１３２】
本組成物の成分は、任意の順序で、任意の好適な様式で組み合わされ得る。ある特定の実施形態では、例えば、（Ｂ）ポリマーとして熱可塑性物質が使用される場合、（Ｂ）ポリマーは、本組成物の形成前、形成中、および／または形成後に溶融され得る。例えば、（Ｂ）ポリマーは、（Ａ）充填剤および（Ｃ）オルガノポリシロキサンが（Ｂ）ポリマーの溶融形態と組み合わされるように、成分を組み合わせる前および／またはその間に加熱され得る。（Ａ）充填剤および（Ｃ）オルガノポリシロキサンは、任意の順序で（Ｂ）ポリマーの溶融形態と、例えば、個別に、連続して、一緒に、または同時に組み合わされ得る。しかし、あるいは、（Ｂ）ポリマーは、本組成物を調製するときに（Ｂ）ポリマーが固体で未溶融または軟化していない形態になるように、（Ｂ）ポリマーを加熱または溶融する前に（Ａ）充填剤および（Ｃ）オルガノポリシロキサンと組み合わされ得る。あるいは、（Ａ）充填剤および（Ｃ）オルガノポリシロキサンを組み合わせて加熱し、次に本組成物を調製するときに固体または液体形態の（Ｂ）ポリマーに添加され得る。
【０１３３】
（Ｂ）ポリマーの融点温度（またはガラス転移温度）は、典型的には、利用される（Ｂ）ポリマーにより変化する。例えば、ある特定の種のポリマーは、他の種のポリマーとは異なる融点温度を有する。ある特定の実施形態では、（Ｂ）ポリマーは、本組成物の形成前、形成中、および／または形成後に、（Ｂ）ポリマーの融点温度より高い、例えば、（Ｂ）ポリマーの融点温度よりも１０〜９０、あるいは１０〜４０℃高い温度に加熱される。これにより、（Ｂ）ポリマーの単なる軟化ではなく溶融を確実にする。あるいは、より低い温度が剪断または混合と組み合わせて利用されて、（Ｂ）ポリマーの軟化および／または溶融を確実にし得る。
【０１３４】
（Ｃ）オルガノポリシロキサンは、液体形態であり得るか、ペレット化マスターバッチ、すなわち（Ｃ）オルガノポリシロキサンと１つ以上の他のポリマー成分との組み合わせである固体の形態で送達され得る。例えば、（Ｂ）ポリマーおよび（Ｃ）オルガノポリシロキサンを組み合わせると、マスターバッチを得ることができ、その後これを（Ａ）充填剤と組み合わせて、本組成物を得る。しかし、あるいは、複数のマスターバッチが形成され得、例えば、（Ｂ）ポリマーおよび（Ａ）充填剤の一部を有する１つのマスターバッチ、ならびに（（Ｂ）ポリマーおよび（Ｃ）オルガノポリシロキサンの一部を有する追加のマスターバッチを調製、および組み合わせて、本組成物を得ることができる。あるいは、固体担体成分は、（Ａ）充填剤および（Ｃ）オルガノポリシロキサンを含むか、あるいはそれらから本質的になるか、あるいはそれらからなり得る。
【０１３５】
ある特定の実施形態では、（Ａ）充填剤、および（Ｃ）オルガノポリシロキサン、および少なくとも１つの他の成分（例えば、上記の追加の成分のうちの１つ以上）を組み合わせて、混合物を得ることができ、混合物を（Ｂ）ポリマー（および任意の他の追加の成分）と組み合わせて、本組成物を得る。（Ａ）充填剤と（Ｃ）オルガノポリシロキサンとを組み合わせることは、（Ａ）充填剤の表面処理、湿潤化、または前処理と呼ばれることがあり、上記の（Ａ）充填剤を表面処理することに対する追加またはその代替となり得る。あるいは、（Ａ）充填剤および（Ｃ）オルガノポリシロキサンは、噴霧、含浸、ブレンド、または混合により組み合わされ得る。（Ａ）充填剤と（Ｃ）オルガノポリシロキサンとを組み合わせることは、例えば、（Ｃ）オルガノポリシロキサンを（Ａ）充填剤に結合するための加熱をさらに含み得る。任意に、（Ａ）充填剤と（Ｃ）オルガノポリシロキサンとの得られた組み合わせは、ペレット化または粉末化される前に圧縮される。（Ａ）充填剤と（Ｃ）オルガノポリシロキサンとを組み合わせることは、別個のプロセスで行われ得るか、または予備混合ステップでポリマー複合体物品を作製するための既存のプロセス（例えば、押し出し）に統合され得る。予備混合ステップでは、成分は、押し出し機に供給する前に一緒にブレンドされ得、例えば、（Ａ）充填剤、および（Ｃ）オルガノポリシロキサン（上記のように調製される）、および（Ｂ）ポリマー、および１つ以上の追加の成分の全部または一部は、予備混合ステップで混合され、その後、押し出し機に供給され得る。
【０１３６】
（Ｃ）オルガノポリシロキサンは、（Ａ）充填剤と組み合わされながら、担体ビヒクルと配置されるかもしくは担体ビヒクルと混合されるか、またはニートの形態であり得る。例えば、担体ビヒクル中の（Ｃ）オルガノポリシロキサンは、（Ａ）充填剤と組み合わされ得、担体ビヒクルは、担体ビヒクルが最初の混合物、例えば、固体担体成分中には存在するが、本組成物中には存在しないように、（Ａ）充填剤および（Ｃ）オルガノポリシロキサンを本組成物に添加する前に任意にそこから排出され得る。あるいは、担体ビヒクルの全部または一部は、本組成物を用いてポリマー複合体物品を調製するときに、本組成物中に存在し、本組成物から排出され得る。さらにまたはあるいは、（Ａ）充填剤は、（Ｃ）オルガノポリシロキサン以外の表面処理剤を用いて、固体担体成分中でその場で、および／または固体担体成分に組み込む前に処理され得る。
【０１３７】
（Ｃ）オルガノポリシロキサンが固体担体成分中に存在し、この固体担体成分が（Ａ）充填剤および（Ｃ）オルガノポリシロキサンを含むある特定の実施形態では、固体担体成分を加熱することができる。ある特定の実施形態では、固体担体成分は、真空中で加熱される。これは、表面処理のための成分間の反応を促進するためか、担体ビヒクルを蒸発させるためか、Ａ）充填剤および（Ｃ）オルガノポリシロキサンの固体担体成分を形成するために使用される混合物中に存在する他の成分を蒸発させるためか、またはプロセスで使用する前に固体担体成分の機械的特性を改善するためなどの複数の理由のために行われ得る。
【０１３８】
ポリマー複合体物品を調製するための組成物は、例えば、好適な混合機器を用いて、混合または剪断下で形成され得る。例えば、本組成物は、攪拌機および／または混合ブレードを備えた容器内で形成され得る。容器は、例えば、バンバリー、シグマ（Ｚ）ブレード、またはキャビティトランスファースタイル混合機などの内部混合機であり得る。あるいはまたはさらに、本組成物は、任意の押し出し機、例えば、回転および／または往復（共混練機）スクリューを備えた単軸スクリュー押し出し機、ならびに接線方向または部分的／完全にかみ合って整列され得、同方向または逆回転方向に回転する２つ以上のスクリューを備える多軸スクリューデバイスであり得る押し出し機内で形成され得るか、またはそれにより加工され得る。あるいは、本明細書に記載の組成物を形成するために、円錐形押し出し機が使用され得る。
【０１３９】
上で紹介されるように、本方法は、ポリマー複合体物品を調製するための組成物からポリマー複合体物品を調製することも含む。本組成物は、例えば、容器内で形成され、その後容器から取り出されて、別個の機器でポリマー複合体物品が形成され得る。あるいは、本組成物を調製し、その後ポリマー複合体物品を形成するために同じ機器が利用され得る。例えば、本組成物は、押し出し機内で調製および／または混合され得、押し出し機は、本組成物を用いてポリマー複合体物品を調製するために利用され得る。あるいは、ポリマー複合体物品は、例えば、射出成形またはトランスファー成形プロセスを用いた成形により形成され得る。本組成物は、金型内でその場で形成され得るか、または独立して形成され、形成されたら金型内に配置され得る。あるいは、さらに、ポリマー複合体物品は、フィルムであり得る。そのような実施形態では、本組成物は、容器内で、任意に高温での混合下で形成または配置され、本組成物からフィルムを調製するための機器内またはその上に配置され得る。組成物、特に本組成物の（Ｂ）ポリマーのような熱可塑性物質を含むものからフィルムを調製するためのそのような機器および技法は、当技術分野でよく知られている。
【０１４０】
ある特定の実施形態では、本組成物からポリマー複合体物品を調製することは、本組成物を所望の形状に形成することをさらに含む。所望の形状は、ポリマー複合体物品の最終使用用途に依存する。当業者は、押し出し用のダイおよび成形用の金型が、ポリマー複合体物品の所望の形状に基づいて、どのように選択および作成され得るかを理解する。
【０１４１】
ある特定の実施形態では、本方法は、二軸スクリュー押し出し機（スクリューが、部分的または完全に噛み合いながら同時に回転するか、あるいは接線方向に、部分的に、または完全のいずれかで噛み合いながら整列して、逆回転する）などの押出機内で連続的または半連続的に行われる。一実施形態では、（Ｃ）オルガノポリシロキサンは、（Ａ）充填剤および（Ｂ）ポリマーと同時に押し出し機内に配置される。あるいは、（Ｃ）オルガノポリシロキサンは、（Ｂ）ポリマーを溶融した後、かつ（Ａ）充填剤を添加する前に押し出し機内に配置され得る。あるいは、（Ｃ）オルガノポリシロキサンは、（Ａ）充填剤および（Ｂ）ポリマーが押し出し機を出た後、かつポリマー複合体物品が押し出し機を出る前に、押し出し機内に配置され得る。あるいは、（Ａ）充填剤は、（Ｃ）オルガノポリシロキサンと同時に押し出し機内に配置され得、ここで、それらは加熱されて、（Ｃ）オルガノポリシロキサンを用いた（Ａ）充填剤の表面処理を有効にし、次に（Ｂ）ポリマーを押し出し機内に配置して、混合物を得、混合物を配合し、ポリマー複合体物品を形成するのに好適な温度まで温度を増加させる。押し出し機は、出発材料が添加され得る１つ以上のゾーン、例えば、１〜３個、または３〜８個、または１〜１２個のゾーンを有し得る。ゾーンは、異なる温度で加熱され得る。
【０１４２】
特定の実施形態では、（Ｂ）ポリマーは、ポリマーの融点温度範囲内の＋／−３０℃で加熱される押し出し機の第１のゾーンに配置される。（Ｃ）オルガノポリシロキサンは、（Ｂ）ポリマーの融点温度よりも１０℃〜９０℃高い温度で加熱される押し出し機の第２のゾーンに配置される。上記のように、利用される温度は、典型的には、本組成物の成分の分解温度よりも低い。ある特定の実施形態では、押し出し機のダイも加熱され得、任意のゾーンおよびダイの温度を含む押し出し機により利用される温度は（Ａ）充填剤の分解温度を超えない。当業者に理解されるように、（Ａ）充填剤の分解温度は、それらの選択に依存する。
【０１４３】
ある特定の実施形態では、本方法は、（Ｂ）ポリマーの選択に応じて、未硬化または未加硫のポリマー複合体物品を調製し、本方法は、未硬化または未加硫のポリマー複合体物品を硬化および／または加硫して、ポリマー複合体物品を得ることをさらに含む。未硬化または未加硫のポリマー複合体物品を硬化または加硫すると、一般に、ポリマー複合体物品の形状および寸法が維持される。典型的には、そのような実施形態では、硬化および／または加硫は、未硬化または未加硫のポリマー複合体物品を形成するために利用する加工または配合温度よりも高い高温で行われる。硬化または加硫は、典型的には、（Ｂ）ポリマーがエラストマーを含むときに行われる。
【０１４４】
本発明のポリマー複合体物品は限定されず、無数の最終使用用途および産業に合わせてカスタマイズされ得る。単なる例として、ポリマー複合体物品は、管；配管；ホース；絶縁（例えば、熱的および／または電気的絶縁）物品；導電性（例えば、熱的および／または導電性）物品；ボンネットの下の構成要素および部品、ならびにインテリア構成要素、例えば、床マットを含む、自動車の構成要素およびアプリケーション；消費者製品およびアプリケーション、工業用または商業用製品およびアプリケーション、航空宇宙製品およびアプリケーション、輸送用製品およびアプリケーション、航空機製品およびアプリケーション、電子製品およびアプリケーション、住宅または商業用建築および建設製品およびアプリケーション、例えば、デッキ、手すり、サイディング、フェンス、窓枠、フローリングなどにおいて利用され得るか、またはそれらとして利用され得る。
【０１４５】
本発明を例示的に説明してきたが、使用されている用語は、限定ではなく説明の言葉の性質であることを意図していることを理解されたい。明らかに、上記の教示に照らして、本発明の多くの修正および変形が可能である。本発明は、具体的に記載された以外の方法で実施され得る。
【０１４６】
産業上の利用可能性
理論に縛られることを望まないが、（Ｃ）オルガノポリシロキサンは、本明細書に記載のポリマー複合体および／またはそれらを作製するためのプロセスに１つ以上の利益を提供し得ると考えられる。これらは、以下を含む。
【０１４７】
配合中のより低いトルク、
増加した配合スループットおよびもしくはより低いエネルギー消費、
配合および成形時のより良好な充填剤分散および低減したガラス繊維の破断（ガラス繊維が使用されている場合）、
より薄い壁を成形する能力、
高い充填剤充填量を含む能力、
離型時のより低い不良率、
よい良好な表面品質、ならびに／または
改善された疎水性。
【０１４８】
（Ｄ）相溶化剤などの他の成分の選択の増加
より多くの割合のリサイクルされたポリマーまたは異なるグレードのポリマーを利用する能力
【０１４９】
充填剤の選択の増加
強度および他の特性を改善する添加剤を可能にすること
２５℃および１気圧で固体である固体担体成分を使用して、固体担体成分を送達すると、（Ｃ）オルガノポリシロキサンが本組成物およびそれを用いて調製されたポリマー複合体物品に送達される問題を解決できる。液体ポリオルガノシロキサンの代わりに固体担体成分を使用すると、押し出し機などの従来の固体処理機器で液体オルガノポリシロキサンを使用するという利益が提供され得る。
【０１５０】
実施例１〜１６および比較例１〜４：
以下の表１は、実施例１〜１６および比較例１〜４の組成物を調製するために利用される成分のタイプおよび量を示す。表１の「Ｃ．Ｅ．」は、比較例を示す。表１の各値は、重量部の値である。
【表１】
2021518860.tif 000002
【０１５１】
（Ｂ）ポリマー１は、ＡＳＴＭ  Ｄ−５２２５に従って測定して０．９１の固有粘度、およびＡＳＴＭ  Ｄ−１８９５に従って測定して０．５２ｇ／ｃｍ３のかさ密度を有するポリ塩化ビニルポリマーである。
【０１５２】
（Ｎ）熱安定剤は、メチルスズメルカプチド熱安定剤である。
【０１５３】
（Ｏ）潤滑剤は、パラフィンワックス、ステアリン酸カルシウム、および酸化低密度ポリエチレンのブレンドである。
【０１５４】
（Ｍ）衝撃性改良剤は、コア／シェル構造、および９０〜５００ｎｍの平均粒径を有するアクリル系衝撃性改良剤である。
【０１５５】
（Ａ）充填剤１は、二酸化チタンである。
【０１５６】
（Ａ）充填剤２は、ステアリン酸で表面処理された炭酸カルシウムである。
【０１５７】
（Ａ）３充填剤３は、未処理の炭酸カルシウムである。
【０１５８】
（Ｃ）オルガノポリシロキサン１は、２５℃で１３，５００ｃｓｔの粘度を有するヒドロキシ末端シロキサンである。
【０１５９】
（Ｃ）オルガノポリシロキサン２は、２５℃で６，０００ｃｓｔの粘度を有するヒドロキシ末端シロキサンである。
【０１６０】
実施例１〜１６および比較例１〜４の組成物を、同じ様式で形成した。具体的には、（Ｂ）ポリマーを、Ｇｕｎｔｈｅｒ  Ｐａｐｅｎｍｅｉｅｒ／Ｗｅｌｅｘブレンダーに室温で配置し、ブレンダーの出力を１５Ａに増加した。（Ｍ）熱安定剤を５１．６℃でブレンダーに配置し、潤滑剤を６５．５℃でブレンダーに配置し、（Ｍ）衝撃性改良剤を７６．６℃でブレンダーに配置した。（Ａ）充填剤１を８７．７℃で添加し、（Ａ）充填剤２および３を９０．６℃で添加した。（Ｃ）オルガノポリシロキサン１および２は、小型ブレンダーを使用して室温で事前にブレンドした。
【０１６１】
表１の組成物を、０．３ｍｍのギャップを有する、１８５℃の電気Ｃｏｌｌｉｎ  Ｒｏｌｌミルで３分間ミリングして、各組成物からミリングしたシートを得、次いでミリングしたシートを１９０℃で厚さ３．２ｍｍのプラークに圧縮成形した。プラークの色性能は、Ｌａｂ  Ｓｃａｎ（ＨｕｎｔｅｒＬａｂ）を使用して測定し、ノッチ付きアイゾット衝撃強度（ＡＳＴＭ  Ｄ２５６に従って測定）を評価した。これらの物理的特性を以下の表２に記載する。
【表２】
2021518860.tif 000003
【０１６２】
実施例１〜１６および比較例１〜４で作製した複合体の追加の物理的特性を測定し、以下の表３および４に記載する。表３に記載の物理的特性は、タイプ５の引張棒および０．５インチ／分の速度を使用して、ＡＳＴＭ  Ｄ６３８に従って測定した。Ｂｒａｂｅｎｄｅｒレオロジー衝撃性および融合時間に関連する表４に記載の物理的特性、トルクは、Ｄｕｉｓｂｕｒｇ，ＧｅｒｍａｎｙのＢｒａｄｅｎｄｅｒ  ＧｍｂＨ＆Ｃｏ．ＫＧから市販のＢｒａｂｅｎｄｅｒミキサーを、６０ＲＰＭ、１８５℃、および樹脂６５グラムに維持した動作条件で使用して測定した。
【表３】
2021518860.tif 000004
【表４】
2021518860.tif 000005
【０１６３】
実施例１７〜３２および比較例５
以下の表５は、実施例１７〜３２および比較例５の組成物を調製するために利用される成分のタイプおよび量を示す。表５の「Ｃ．Ｅ．」は、比較例を示す。表５の各値は、重量部の値である。
【表５】
2021518860.tif 000006
【０１６４】
（Ｂ）ポリマー２は、ＡＳＴＭ  Ｄ−５２２５に従って測定して０．７３の固有粘度、およびＡＳＴＭ  Ｄ−１８９５に従って測定して０．５６ｇ／ｃｍ３のかさ密度を有するポリ塩化ビニルポリマーである。
【０１６５】
（Ｉ）加工助剤１は、高分子量アクリル系加工助剤である。
【０１６６】
（Ｉ）加工助剤２は、低分子量アクリル系加工助剤である。
【０１６７】
（Ａ）充填剤４は、木細粉である。
【０１６８】
（Ｄ）相溶化剤１は、高密度ポリエチレングラフト化無水マレイン酸コモノマーである。
【０１６９】
（Ｄ）相溶化剤２は、無水マレイン酸相当物として分類されるランダムエチレンコポリマーである。
【０１７０】
実施例１７〜３２および比較例５の組成物を、同じ様式で形成した。具体的には、（Ｂ）ポリマーを、Ｇｕｎｔｈｅｒ  Ｐａｐｅｎｍｅｉｅｒ／Ｗｅｌｅｘブレンダーに室温で配置し、ブレンダーの出力を１５Ａに増加した。（Ｎ）熱安定剤を５１．６℃でブレンダーに配置し、潤滑剤を６５．５℃でブレンダーに配置し、（Ｍ）衝撃性改良剤を７６．６℃でブレンダーに配置した。（Ａ）充填剤２は、９０．６℃で添加する。（Ｃ）オルガノポリシロキサン１および２は、小型ブレンダーを使用して室温で事前にブレンドした。（Ａ）充填剤４、ならびに（Ｄ）相溶化剤１および２は、Ｇｕｎｔｈｅｒブレンダーを用いる事前ブレンドを介して添加する。
【０１７１】
以下の表６は、実施例１７〜３２および比較例５の組成物のＢｒａｂｅｎｄｅｒレオロジー圧縮および融合時間、トルクについて記載している。表６の物理的特性は、Ｄｕｉｓｂｕｒｇ，ＧｅｒｍａｎｙのＢｒａｄｅｎｄｅｒ  ＧｍｂＨ＆Ｃｏ．ＫＧから市販のＢｒａｂｅｎｄｅｒミキサーを、６０ＲＰＭ、１８５℃、および樹脂６５グラムに維持した動作条件で使用して測定した。
【表６】
2021518860.tif 000007
【０１７２】
表５の組成物を、０．３ｍｍのギャップを有する、１８５℃の電気Ｃｏｌｌｉｎ  Ｒｏｌｌミルで３分間ミリングして、各組成物からミリングしたシートを得、次いでミリングしたシートを１９０℃で厚さ３．２ｍｍのプラークに圧縮成形した。ノッチ付きアイゾット衝撃強度（ＡＳＴＭ  Ｄ２５６に従って測定）および引張特性（ＡＳＴＭ  Ｄ６３８に従って測定し、タイプ５の引張棒および０．５インチ／分の速度を使用）を以下の表７に記載する。
【表７】
2021518860.tif 000008
【０１７３】
実施例２１〜２３および比較例５の組成物を、０．６５重量部の（Ｆ）化学的発泡剤と組み合わせて、発泡性組成物を得た。化学的発泡剤は、発熱性および吸熱性の化学的発泡剤のブレンドである。発泡性組成物は、２インチのシートダイおよび４５ミルのダイギャップを有するＰｏｌｙｌａｂからのＲＳ５０００二軸スクリュー押出機を用いて押し出した。
【０１７４】
押出温度設定は、１５５℃／１７５℃／１８０℃／１６０℃、６０ＲＰＭであった。これらの発泡性組成物を押し出して、プレスしたプラークを得た。ミリングしプレスしたプラークの密度は、１．３７７ｇ／ｃｍ３である。以下の表８は、押出トルク、出力、およびシート密度の概要である。低い表面評価は、目に見える欠陥を有する粗い表面テクスチャを示し、良い表面評価は、滑らかかつ欠陥のない表面を示す。表面特性は、目視検査によって決定する。ＰＳＩは、ポンド／平方インチを示す。
【表８】
2021518860.tif 000009
【０１７５】
溶融温度、ダイ圧力、およびトルク値は、押出プロセス中に収集した。密度は、Ａｌｆａ  Ｍｉｒａｇｅ  Ｃｏ．Ｌｔｄ．の電子密度計を使用して、室温で測定した。
【０１７６】
実施例３３〜３６および比較例６〜７
以下の表９は、実施例３３〜３６および比較例６〜７の組成物を調製するために利用される成分のタイプおよび量を示す。表９の「Ｃ．Ｅ．」は、比較例を示す。表９の各値は、重量部の値である。
【表９】
2021518860.tif 000010
【０１７７】
（Ｉ）加工助剤３は、（１０００万ダルトン超の分子量を有する）超高分子量アクリル性加工助剤である。
【０１７８】
（Ｆ）化学的発泡剤は、発熱性および吸熱性の化学的発泡剤のブレンドである。
【０１７９】
実施例３３〜３６および比較例６〜７の発泡性組成物は、２インチのシートダイおよび４５ミルのダイギャップを有するＰｏｌｙｌａｂからのＲＳ５０００二軸スクリュー押出機を用いて押し出した。押出温度設定は、１５５℃／１７５℃／１８０℃／１６０℃、６０ＲＰＭであった。これらの発泡性組成物を押し出して、プレスしたプラークを得た。ミリングしプレスしたプラークの密度は、１．３７７ｇ／ｃｍ３である。以下の表１０は、押出トルク、出力、およびシート密度の概要である。
【表１０】
2021518860.tif 000011
【０１８０】
溶融温度、ダイ圧力、およびトルク値は、押出プロセス中に収集した。密度は、Ａｌｆａ  Ｍｉｒａｇｅ  Ｃｏ．Ｌｔｄの電子密度系を使用して、室温で測定した。速度は、３０秒で押し出されたシート片を収集し、シートの重量を測定し、ｇ／分に変換することによって得た。
【０１８１】
実施例３７〜４０および比較例８
以下の表１１は、実施例３７〜４０および比較例８の組成物を調製するために利用される成分のタイプおよび量を示す。表１１の「Ｃ．Ｅ．」は、比較例を示す。表１１の各値は、重量部の値である。
【表１１】
2021518860.tif 000012
【０１８２】
（Ｉ）加工助剤４は、（１０００万ダルトン未満の分子量を有する）高分子量アクリル性加工助剤である。
【０１８３】
実施例３７〜４０および比較例８の発泡性組成物は、２インチのシートダイおよび４５ミルのダイギャップを有するＰｏｌｙｌａｂからのＲＳ５０００二軸スクリュー押出機を用いて押し出した。押出温度設定は、１５５℃／１７５℃／１８０℃／１６０℃、６０ＲＰＭであった。これらの発泡性組成物を押し出して、プレスしたプラークを得た。ミリングしプレスしたプラークの密度は、１．３７７ｇ／ｃｍ３である。以下の表１２は、押出トルク、出力、およびシート密度の概要である。
【表１２】
2021518860.tif 000013
【０１８４】
溶融温度、ダイ圧力、およびトルク値は、押出プロセス中に収集した。密度は、Ａｌｆａ  Ｍｉｒａｇｅ  Ｃｏ．Ｌｔｄの電子密度系を使用して、室温で測定した。速度は、３０秒で押し出されたシート片を収集し、シートの重量を測定し、ｇ／分に変換することによって得た。
【０１８５】
予想実施例１−液体オルガノポリシロキサンおよび充填剤を含むペレット化オルガノポリシロキサンの調製のための一般的な手順
ペレット化ドラムまたはディスクのために、回転ドラムに木細粉などの粉末充填剤を添加する。１３，５００ｍＰａ・ｓの動的粘度を有するビス−ヒドロキシル末端ポリジメチルシロキサン（ＯＨ  ＰＤＭＳ）などのオルガノポリシロキサン液体の微細な液滴、またはＭｉｄｌａｎｄ，Ｍｉｃｈｉｇａｎ，ＵＳＡのＤｏｗ  Ｓｉｌｉｃｏｎｅｓ  Ｃｏｒｐｏｒａｔｉｏｎの代替品を、回転ドラム内の粉末にゆっくりと噴霧する。粉末が落ちると、それを液体でコーティングし、くっつける。このプロセス中に、凝集物が形成および成長し、充填剤およびシロキサンの小さなペレットが作成される。
【０１８６】
実施例４１−オルガノシロキサン／充填剤ペレットの調製
ヒュームドシリカをＯＨ  ＰＤＭＳと混合した。ステンレス鍋を使用して、２５．２グラムのヒュームドシリカを４７．３グラムのＯＨ  ＰＤＭＳと手動で混合すると、自由流動性の粉末がもたらされた。次に、これは顧客によりＯＨ  ＰＤＭＳの供給源として使用され得る。
【０１８７】
実施例４２  オルガノシロキサン／充填剤ペレットの調製
ステンレス鍋を使用して、９７．０グラムの木細粉を４５．６グラムのＯＨ  ＰＤＭＳと手動で混合すると、自由流動性の粉末がもたらされた。次に、これは顧客により（Ｃ）オルガノポリシロキサンの供給源として使用され得る。
【０１８８】
実施例４３−オルガノシロキサン／充填剤ペレットの調製（予想的）
タルクまたは炭酸カルシウムを混合機に添加した。粉末が粘着性になるまでＯＨ  ＰＤＭＳなどのオルガノポリシロキサンをゆっくりと粉末にブレンドし、次に、それが自由流動性の粉末になるまで、より多くの充填剤を添加する。
【０１８９】
実施例４４〜４７−オルガノポリシロキサン／マレイン化ポリエチレン（ＭＡＰＥ）ペレットの調製
この実施例では、ＡＳＴＭ  Ｄ７９２により測定して、０．９６ｇ／ｃｍ３の密度を有する無水マレイン酸グラフト化高密度ポリエチレン（Ｄ）およびヒドロキシル末端オルガノポリシロキサン（Ｃ）を使用する。
【０１９０】
配合を二軸スクリュー押し出し機で行った。バレルゾーンで重量測定供給装置を介してＭＡＰＥを供給した。ＯＨ  ＰＤＭＳを、供給装置の後で、開いたポートからスクリューの搬送セクションに供給した。
【０１９１】
異なる組成のトルク値を以下の表１３に列挙する。
【表１３】
2021518860.tif 000014
【０１９２】
これらの実施例は、ＭＡＰＥ（Ｄ）およびポリオルガノシロキサン（Ｃ）の様々な濃度を有するペレットが使用され、ペレットが作製され得ることを示す。これらの実施例は、試験された条件下で、１０％〜２０％のＯＨ  ＰＤＭＳおよび２０％〜９０％のＭＡＰＥをペレットに好都合に組み込むことができることを示す。理論に縛られることを望まないが、異なるオルガノポリシロキサン、マレイン化ポリエチレン、またはそれらの両方を使用して、より多量のオルガノポリシロキサンをペレットに組み込むことが可能であり得る。
【０１９３】
理論に縛られることを望まないが、本明細書で提供される組成物は、以下の利益うちの１つ以上を提供し得る：より早い配合スループット、より低い溶融温度、本組成物からのポリマー複合体物品を製作するために使用される押し出し機におけるより低い圧力、より早い成形、より良好な離型、およびより低い不良率。加えて、オルガノポリシロキサン（Ｃ）は、充填剤の分散を改善し、繊維の破断を低減し、充填剤粒子の凝集を低減し得る。
【０１９４】
ポリマー複合体物品の多くの製造業者は、固体供給用に構成され、液体を供給して、ポリマー複合体物品を形成するように設定されていない押し出し機などの既存の機器を有する。固形担体成分が２５℃および１気圧で固形である、オルガノポリシロキサンを含む固形担体成分を提供することによって、この問題を解決し、ポリマー複合体物品中のオルガノポリシロキサンの混合および分散を促進する。
【０１９５】
用語の定義と用法
本明細書の文脈により別段の指示がない限り、すべての量、比率、およびパーセンテージは重量によるものであり、すべての試験方法は、本開示の出願日現在のものである。冠詞「ａ」、「ａｎ」、および「ｔｈｅ」は各々、１以上を指す。添付の特許請求の範囲は、「発明を実施するための形態」の表現、およびそこに記載される特定の化合物、組成物、または方法に限定されず、添付の特許請求の範囲の範疇の特定の実施形態間で異なり得ることを解されたい。様々な実施形態の特定の特徴または態様を説明するための本明細書に依拠する任意のマーカッシュグループに関して、他のすべてのマーカッシュメンバーから独立した各々のマーカッシュグループの各メンバーから異なる、特別な、かつ／または予期しない結果が得られる可能性がある。マーカッシュグループの各メンバーは、個別に、およびまたは組み合わせて依拠され得、添付の特許請求の範囲の範疇の特定の実施形態に好適なサポートを提供する。
【０１９６】
さらに、本発明の様々な実施形態の説明に依拠する任意の範囲および部分範囲は、添付の特許請求の範囲の範疇に独立してかつ集合的に含まれ、かかる値が本明細書に明示的に書かれていない場合であっても、それらの全体および／または小数値を含むすべての範囲を説明および企図すると理解される。当業者は、列挙された範囲および部分範囲が本発明の様々な実施形態を十分に説明し、有効にし、かつかかる範囲および部分範囲が関連する半分、３分の１、４分の１、５分の１などにさらに詳しく説明され得ることを容易に認識する。単なる一例として、「０．１〜０．９」の範囲は、下３分の１、すなわち０．１〜０．３、中３分の１、すなわち０．４〜０．６、および上３分の１、すなわち０．７〜０．９にさらに詳しく説明され得、これは、個別および集合的に添付の特許請求の範囲の範疇にあり、個別および／または集合的に依拠され得、添付の特許請求の範囲の範疇の特定の実施形態に好適なサポートを提供する。さらに、「少なくとも」、「より大きい」、「未満」、「以下」などの範囲を定義または変更する言語に関して、かかる言語は部分範囲、および／または上限もしくは下限を含むことを理解されたい。別の例として、「少なくとも１０」という範囲には、少なくとも１０〜３５の部分範囲、少なくとも１０〜２５の部分範囲、２５〜３５の部分範囲などが本質的に含まれ、各部分範囲は、個別および／または集合的に依拠され得、添付の特許請求の範囲の範疇の特定の実施形態に好適なサポートを提供する。最後に、開示された範囲内の個別の数字は、依拠され得、添付の特許請求の範囲の範疇の特定の実施形態に好適なサポートを提供する。例えば、「１〜９」という範囲には、３などの様々な個別の整数、ならびに４．１などの小数点（または小数）を含む個別の数値が含まれ、これは、依拠され得、添付の特許請求の範囲の範疇の特定の実施形態に好適なサポートを提供する。
【０１９７】
本明細書で使用される「組成物」という用語は、組成物を含む材料（複数可）、ならびに組成物の材料から形成された反応物、および分解物を含む。
【０１９８】
「〜を含む（ｃｏｍｐｒｉｓｉｎｇ）」という用語、およびそれらの派生語は、同じものが本明細書に開示されているか否かにかかわらず、任意の追加の成分、ステップ、または手順の存在を除外することを意図するものではない。いかなる疑いも避けるために、「〜を含む（ｃｏｍｐｒｉｓｉｎｇ）」という用語を使用して特許請求される全ての組成物は、矛盾する記述がない限り、ポリマー性かまたは別様かにかかわらず、いずれの追加の添加剤、補助剤、または化合物を含み得る。対照的に、「本質的に〜からなる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の成分、ステップ、または手順を除外する。「〜からなる」という用語は、具体的に描写または列記されていない如何なる構成成分、ステップ、または手順も除外する。
【０１９９】
本明細書で使用される「ポリマー」という用語は、同じ種類であろうと異なる種類であろうと、モノマーを重合することにより調製されたポリマー化合物を指す。したがって、ポリマーという一般的な用語は、ホモポリマーという用語（微量の不純物がポリマー構造に組み込まれ得るという理解の下に、唯一の種類のモノマーから調製されるポリマーを指すために用いられる）、および本明細書において以下に定義されるようなインターポリマーという用語を包含する。微量の不純物は、ポリマーにおよび／またはポリマー内に組み込まれる場合がある。
【０２００】
本明細書で使用される場合、「インターポリマー」という用語は、少なくとも２つの異なるタイプのモノマーの重合によって調製されるポリマーを指す。したがって、このインターポリマーという総称は、コポリマー（２つの異なる種類のモノマーから調製されるポリマーを指すために用いられる）、および３つ以上の異なる種類のモノマーから調製されるポリマーを含む。
【０２０１】
本明細書で使用される「エチレン系ポリマー」という用語は、重合形態で、（ポリマーの重量に基づいて）過半量のオレフィンモノマー、例えばエチレンまたはプロピレンを含み、場合によりは、少なくとも１つの重合コモノマーを含み得るポリマーを指す。
【０２０２】
本明細書で使用される「エチレン系ポリマー」という用語は、（ポリマーの総重量に基づいて）過半量の重合エチレンモノマーを含み、任意で、少なくとも１つの重合コモノマーを含み得る、ポリマーを指す。
【０２０３】
本明細書で使用される「エチレン／α−オレフィンインターポリマー」という用語は、重合形態で、（インターポリマーの重量に基づいて）過半量のエチレンモノマーおよび少なくとも１つのα−オレフィンを含むインターポリマーを指す。
【０２０４】
本明細書で使用される「エチレン／α−オレフィンコポリマー」という用語は、唯一の２つのモノマー種類として、重合形態で、（コポリマーの重量に基づいて）過半量のエチレンモノマーおよびα−オレフィンを含むコポリマーを指す。
【０２０５】
「ＬＤＰＥ」という用語はまた、「高圧エチレンポリマー」、または「高分岐ポリエチレン」とも称され、ポリマーが、過酸化物（例えば、参照により本明細書に組み込まれる、ＵＳ４，５９９，３９２を参照）などの、フリーラジカル開始剤を使用して、１４，５００ｐｓｉ（１００ＭＰａ）を上回る圧力で、オートクレーブまたは管状反応器中で、部分的または完全に、ホモ重合もしくは共重合することを意味するように定義される。ＬＤＰＥ樹脂は、０．９１６〜０．９４０ｇ／ｃｍ３の範囲の密度を典型的に有する。
【０２０６】
用語「ＬＬＤＰＥ」は、従来型のチーグラーナッタ触媒系、ならびにビス−メタロセン（「ｍ−ＬＬＤＰＥ」と称されることもある）、ポストメタロセン触媒、および拘束幾何触媒などの、シングルサイト触媒を用いて製造された樹脂を含み、線状、実質的に線状、または不均一なポリエチレンコポリマー、またはホモポリマーを含む。ＬＬＤＰＥは、ＬＤＰＥほど長くない鎖分岐を含有し、米国特許第５，２７２，２３６号、米国特許第５，２７８，２７２号、米国特許第５，５８２，９２３号、および米国特許第５，７３３，１５５号でさらに定義される実質的に直鎖状のエチレンポリマー；米国特許第３，６４５，９９２号などの均質分岐鎖状直鎖状エチレンポリマー組成物；米国特許第４，０７６，６９８号に開示されるプロセスに従って調製されたものなどの不均質分岐鎖状エチレンポリマー；ならびに／またはそれらのブレンド（ＵＳ３，９１４，３４２もしくはＵＳ５，８５４，０４５に開示されるものなど）を含む。ＬＬＤＰＥは、当技術分野において知られている任意の種類の反応器または反応器構成を使用して、気相、溶液相、もしくはスラリー重合、またはそれらの任意の組み合わせを介して作製することができ、気相およびスラリー層反応器が最も好ましい。
【０２０７】
「ＭＤＰＥ」という用語は、０．９２６〜０．９４０ｇ／ｃｍ３の密度を有するポリエチレンを指す。「ＭＤＰＥ」は、クロムまたはチーグラーナッタ触媒を使用して、またはメタロセン、拘束幾何形状、もしくは単一部位触媒を用いて典型的に作成され、２．５を超える分子量分布（「ＭＷＤ」）を典型的に有する。
【０２０８】
「ＨＤＰＥ」という用語は、約０．９４０ｇ／ｃｍ３超の密度を有するポリエチレンを指し、一般的に、チーグラーナッタ触媒、クロム触媒、またはさらにメタロセン触媒で調製される。
【０２０９】
「ブレンド」、「ポリマーブレンド」および同様の用語は、２つ以上のポリマーの組成物を意味する。そのようなブレンドは、混和性であっても、そうでなくてもよい。そのようなブレンドは、相分離していても、していなくてもよい。そのようなブレンドは、透過電子分光法、光散乱、Ｘ線散乱、および当技術分野で知られている任意の他の方法から決定される、１つ以上のドメイン構成を含有しても、そうでなくてもよい。ブレンドは、積層体ではないが、積層体の１つ以上の層がブレンドを含有してもよい。
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
ポリマー複合体物品を調製するための組成物であって、前記組成物が、
（Ａ）１０〜９０重量％の量の充填剤と、
（Ｂ）１０〜９０重量％の量のポリマーであって、前記（Ｂ）ポリマーが、ポリビニルを含む、ポリマーと、
（Ｃ）０超〜１０重量％の量のオルガノポリシロキサンであって、前記（Ｃ）オルガノポリシロキサンが、少なくとも１つのシリコン結合ヒドロキシル基および２５℃で１，０００〜６０，０００ｍＰａ・ｓの粘度を有する、オルガノポリシロキサンと、を含み、
各々が、前記組成物中の成分（Ａ）、（Ｂ）、および（Ｃ）の総重量に基づく、組成物。
【請求項２】
（ｉ）前記（Ｃ）オルガノポリシロキサンが２５℃で液体として存在するか、（ｉｉ）前記オルガノポリシロキサンが、前記オルガノポリシロキサンを含む固体担体成分中の前記組成物中に存在するか、（ｉｉｉ）前記（Ｃ）オルガノポリシロキサンが、２５℃で２，０００〜５０，０００ｍＰａ・ｓの粘度を有するか、（ｉｖ）前記（Ａ）充填剤が、リグノセルロース充填剤、ミネラル充填剤、ガラス充填剤、カーボン充填剤、顔料、およびそれらの組み合わせから選択されるか、（ｖ）前記組成物が、（Ｄ）相溶化剤、（Ｅ）着色剤、（Ｆ）発泡剤、（Ｇ）ＵＶ安定剤、（Ｈ）酸化防止剤、（Ｉ）加工助剤補助剤、（Ｊ）防腐剤、（Ｋ）殺生物剤、（Ｌ）難燃剤、（Ｍ）衝撃性改良剤、（Ｎ）熱安定剤、および（Ｏ）潤滑剤から選択される１つ以上の添加剤をさらに含むか、または（ｖｉ）（ｉ）〜（ｖ）の任意の組み合わせである、請求項１に記載の組成物。
【請求項３】
前記（Ｃ）オルガノポリシロキサンが、以下の平均単位式（Ｉ）または（ＩＩ）を有し、
［Ｒ１３−ｎ（ＯＨ）ｎＳｉＯ１／２］ａ’’［Ｒ１２−ｍ（ＯＨ）ｍＳｉＯ２／２］ｂ’’（Ｉ）
式中、各Ｒ１が独立して選択されたヒドロカルビル基であり、ｎが０、１、２、もしくは３であり、ｍが０、１、もしくは２であるが、ただし、ｎおよびｍが同時に０ではないことを条件とし、０＜ａ’’＜１、０＜ｂ’’＜１であるが、ただし、ａ’’＋ｂ’’＝１であることを条件とするか、または
Ｒ１３−ｘ（ＯＨ）ｘＳｉＯ［ＳｉＲ１２Ｏ］ｃ’’Ｓｉ（ＯＨ）ｙＲ１３−ｙ（ＩＩ）
式中、各Ｒ１が独立して選択されたヒドロカルビル基であり、ｘが０、１、２、もしくは３であり、ｙが０、１、２、もしくは３であるが、ただし、ｘおよびｙが同時に０ではないことを条件とし、ｃ’’が６０〜１，２００である、請求項１または２に記載の組成物。
【請求項４】
（ｉ）前記（Ａ）充填剤がリグノセルロース充填剤を含み、４０〜８０重量％の量で存在し、（ｉｉ）前記（Ｂ）ポリマーがポリ塩化ビニルを含み、２０〜６０重量％の量で存在し、（ｉｉｉ）前記（Ｃ）オルガノポリシロキサンが０．８〜４．０重量％の量で存在する、請求項１〜３のいずれか一項に記載の組成物。
【請求項５】
（ｉ）前記（Ａ）充填剤が、ミネラル充填剤を含み、１０〜５０重量％の量で存在し、（ｉｉ）前記（Ｂ）ポリマーが、５０〜９０重量％の量で存在し、（ｉｉｉ）前記（Ｃ）オルガノポリシロキサンが、０．１〜１０重量％の量で存在し、（ｉｖ）前記（Ｃ）オルガノポリシロキサンが、２５℃で１，０００〜５０，０００ｍＰａ・ｓの粘度を有する、請求項１〜３のいずれか一項に記載の組成物。
【請求項６】
ポリマー複合体物品を調製する方法であって、前記方法が、
請求項１〜５のいずれか一項に記載の組成物から前記ポリマー複合体物品を調製することを含む、方法。
【請求項７】
前記方法が、
高温で前記（Ａ）充填剤と、前記（Ｂ）ポリマーと、前記（Ｃ）オルガノポリシロキサンとを混合しながら組み合わせて、流動性混合物を得ることと、
前記流動性混合物から前記ポリマー複合体物品を形成することと、を含み、
（ｉ）前記（Ｃ）オルガノポリシロキサンが、前記流動性混合物を形成するときに液体であるか、または（ｉｉ）前記（Ｃ）オルガノポリシロキサンが、固体担体成分内に存在し、前記方法が、前記流動性混合物と前記（Ｃ）オルガノポリシロキサンとを形成するときに前記固体担体成分を溶融することをさらに含む、請求項６に記載の方法。
【請求項８】
押し出し機で行われ、（ｉ）前記押し出し機内の前記組成物の押し出し加工温度が、前記（Ｃ）オルガノポリシロキサンを含まない前記（Ａ）充填剤と前記（Ｂ）ポリマーとの混合物の押し出し加工温度と比較して低減され、かつ／または（ｉｉ）前記組成物を混合するときの前記押し出し機のトルクが、前記（Ｃ）オルガノポリシロキサンを含まない前記（Ａ）充填剤と前記（Ｂ）ポリマーとの混合物を押し出すときの前記押し出し機のトルクと比較して低減される、請求項６または７に記載の方法。
【請求項９】
請求項６〜８のいずれか一項に記載の方法によって調製される、ポリマー複合体物品。
【請求項１０】
固体担体成分であって、
１〜７０重量％の（Ｃ）少なくとも１つのシリコン結合ヒドロキシル基および２５℃で１，０００〜６０，０００ｍＰａ・ｓの粘度を有するオルガノポリシロキサンと、
０〜９０重量％の（Ｂ）ポリビニルを含むポリマーと、
０〜９５重量％の（Ｄ）官能化ポリマーを含む相溶化剤と、
０〜７５重量％の（Ａ）リグノセルロース充填剤、ミネラル充填剤、ガラス充填剤、カーボン充填剤、顔料、およびそれらの組み合わせから選択される充填剤と、を含むが、
ただし、成分（Ｂ）および（Ｄ）のうちの少なくとも１つが、前記固体担体成分中に存在することを条件とする、固体担体成分。
【国際調査報告】
2021518860.tif 000015
2021518860.tif 000016
2021518860.tif 000017